(57)【要約】【課題】美しく洗練された印象の空間を形成可能であり、且つ、多目的な照明として使用可能な面発光システムを提供する。【解決手段】  発光面を含む面発光パネルを有する面発光モジュール３と、複数の面発光モジュール３を保持可能な支柱部材２とを備えた面発光システム１を形成する。このとき、支柱部材２は、面発光モジュール３を着脱自在に保持するものとする。さらに、支柱部材２に保持させた複数の面発光モジュール３の発光面同士を、支柱部材２の長手方向で全体をみたときに重複した状態とさせることが可能なものとする。【選択図】図２
2018067484.tif 000002
【特許請求の範囲】
【請求項１】
発光面を含む面発光パネルを有する面発光モジュールと、複数の前記面発光モジュールを保持可能な長尺状の支柱部材とを備えた面発光システムであって、
前記支柱部材は、前記面発光モジュールを着脱自在な状態に保持するものであり、
前記支柱部材が複数の前記面発光モジュールを保持した状態では、前記支柱部材の長手方向で全体をみたとき、複数の前記面発光モジュールの発光面同士を少なくとも一部が重複した状態とすることが可能であることを特徴とする面発光システム。
【請求項２】
前記面発光モジュールは、前記面発光パネルを支持するフレーム部と、前記フレーム部の外側に突出する支持部を備え、
前記支持部は、前記発光面と垂直となる方向に突出しており、
前記支柱部材は、前記面発光モジュールを保持可能な保持部を備え、
前記保持部は、前記支持部の少なくとも一部を嵌合可能な嵌合部を有し、嵌合によって前記面発光モジュールを保持するものであり、
前記支柱部材が複数の前記保持部を有することを特徴とする請求項１に記載の面発光システム。
【請求項３】
前記支柱部材が前記面発光モジュールを保持した状態では、前記支柱部材からの給電により、前記面発光モジュールを充電可能であることを特徴とする請求項１又は２に記載の面発光システム。
【請求項４】
前記面発光モジュールは、前記面発光パネルを支持するフレーム部と、前記フレーム部の外側に突出する支持部を備え、
前記支持部は、前記発光面と垂直となる方向に突出し、水平面に載置される基台として機能するものであり、前記支持部が基台として機能することで、前記面発光モジュールがスタンド型灯具として使用可能であることを特徴とする請求項１乃至３のいずれかに記載の面発光システム。
【請求項５】
前記面発光モジュールは、前記面発光パネルを支持するフレーム部と、前記フレーム部の外側に突出する支持部と、可動部を備え、
前記支柱部材が前記面発光モジュールを保持した状態で前記可動部が可動することで、前記面発光モジュールのうち少なくとも前記フレーム部側の部分が、前記支柱部材の長手方向と垂直な方向に延びる直線を少なくとも一つの回転中心軸線として回転することを特徴とする請求項１乃至４のいずれかに記載の面発光システム。
【発明の詳細な説明】
【技術分野】
【０００１】
本発明は、複数の発光部を有する面発光システムに関する。
【背景技術】
【０００２】
従来、フロアスタンドのように室内に設置して使用する照明器具が知られており、そのような照明器具として、有機ＥＬ発光素子を光源とする有機ＥＬパネルを使用したものがある。
【０００３】
有機ＥＬパネルは、薄くて軽いため、様々な形状の照明器具に対して好適に採用可能である。また、有機ＥＬパネルを採用した照明器具は、有機ＥＬパネルが面光源であり拡散光を発するため、柔らかい光による温かみのある雰囲気を醸し出すことができる。
【０００４】
ここで、有機ＥＬパネルを採用した照明器具として、例えば、特許文献１に開示されたブラインド型の照明装置が知られている。特許文献１の照明装置では、それぞれのスラットに有機ＥＬ素子を配設して光源とすると共に、それぞれのスラットが可撓性を有する構造とし、複数のスラットを回動自在に併設した構造となっている。
【０００５】
この照明装置では、それぞれのスラットに貫通孔が形成されており、最上端のスラットから最下端のスラットまでの長さを調節するための昇降コードが、複数のスラットの貫通孔に挿通されている。このことから、それぞれのスラットは、個別の着脱が不可能な状態となっている。つまり、それぞれのスラットは、個別の着脱が不可能な状態で取り付けられており、例えば、上下方向における中央側のスラットを故障等により交換する必要が生じた場合、照明装置を分解して複数のスラットを取り外す必要がある。
【先行技術文献】
【特許文献】
【０００６】
【特許文献１】国際公開第２０１１／０８３６２０号
【発明の概要】
【発明が解決しようとする課題】
【０００７】
ところで、本発明者らは、空間に光を照射するための照明装置として使用可能な面発光システムであり、室内等の設置空間を洗練された印象とすることが可能な面発光システムの提供を考えた。
さらに、そのような面発光システムを多目的に使用可能な構造とすることを考えた。すなわち、フロアスタンドとしても使用可能であり、テーブルランプとしても使用可能といった具合に、多目的な使用が可能な構造とすることを考えた。
【０００８】
そこで本発明は、美しく洗練された印象の空間を形成可能であり、且つ、多目的な照明として使用可能な面発光システムを提供することを課題とする。
【課題を解決するための手段】
【０００９】
上記課題を解決するための請求項１に記載の発明は、発光面を含む面発光パネルを有する面発光モジュールと、複数の前記面発光モジュールを保持可能な長尺状の支柱部材とを備えた面発光システムであって、前記支柱部材は、前記面発光モジュールを着脱自在な状態に保持するものであり、前記支柱部材が複数の前記面発光モジュールを保持した状態では、前記支柱部材の長手方向で全体をみたとき、複数の前記面発光モジュールの発光面同士を少なくとも一部が重複した状態とすることが可能であることを特徴とする面発光システムである。
【００１０】
本発明の面発光システムでは、面発光モジュールを単独で照明として使用可能であるだけでなく、長尺状の支柱部材に面発光モジュールを保持させることで、フロアスタンドのように設置面から離れた位置に光源を配する灯具としての使用が可能となっている。
加えて、一の面発光モジュールを単独で照明として使用しつつ、他の面発光モジュールを支柱部材に支持させて使用することも可能となっている。
このことから、部屋等の対象となる空間全体を暗めに照らす全般照明と、空間の一部を照らす局部照明（部分照明）とを組み合わせた光空間を形成するにあたり、設置位置や用途の異なるさまざまな部分照明として多目的な使用が可能となっている。すなわち、フロアスタンドとしての使用、テーブルランプとしての使用、デスクライトとしての使用といった、多目的な照明としての使用が可能となっている。
【００１１】
さらに、支柱部材が複数の面発光モジュールを保持した状態で使用するとき、支柱部材の長手方向において異なる位置に配される複数の発光面の同士が少なくとも一部で重複する状態とすることで、演出照明として効果的な使用が可能となる。すなわち、異なる面光源から発せられる光同士が干渉し、独特の明暗のコントラストを持った光で周辺を照らすことが可能となる。このことにより、美しく洗練された印象の空間を形成することができる。
【００１２】
請求項２に記載の発明は、前記面発光モジュールは、前記面発光パネルを支持するフレーム部と、前記フレーム部の外側に突出する支持部を備え、前記支持部は、前記発光面と垂直となる方向に突出しており、前記支柱部材は、前記面発光モジュールを保持可能な保持部を備え、前記保持部は、前記支持部の少なくとも一部を嵌合可能な嵌合部を有し、嵌合によって前記面発光モジュールを保持するものであり、前記支柱部材が複数の前記保持部を有することを特徴とする請求項１に記載の面発光システムである。
【００１３】
かかる構成によると、使用者が面発光モジュールの支柱部材への着脱を簡単に行うことが可能となる。また、簡易な構造によって着脱可能とすることができるので、保持部の強度を向上させるという観点や、製造コストを低減させるという観点から好ましい。
【００１４】
請求項３に記載の発明は、前記支柱部材が前記面発光モジュールを保持した状態では、前記支柱部材からの給電により、前記面発光モジュールを充電可能であることを特徴とする請求項１又は２に記載の面発光システムである。
【００１５】
かかる構成によると、面発光モジュールを単独で使用するとき、外部電源と面発光モジュールの間で配線を伸ばす必要がなく、面発光モジュールの設置場所の自由度が高くなる。
【００１６】
請求項４に記載の発明は、前記面発光モジュールは、前記面発光パネルを支持するフレーム部と、前記フレーム部の外側に突出する支持部を備え、前記支持部は、前記発光面と垂直となる方向に突出し、水平面に載置される基台として機能するものであり、前記支持部が基台として機能することで、前記面発光モジュールがスタンド型灯具として使用可能であることを特徴とする請求項１乃至３のいずれかに記載の面発光システムである。
【００１７】
本発明の面発光システムは、面発光モジュールがスタンド型灯具として使用可能であることが特に好ましい。
【００１８】
請求項５に記載の発明は、前記面発光モジュールは、前記面発光パネルを支持するフレーム部と、前記フレーム部の外側に突出する支持部と、可動部を備え、前記支柱部材が前記面発光モジュールを保持した状態で前記可動部が可動することで、前記面発光モジュールのうち少なくとも前記フレーム部側の部分が、前記支柱部材の長手方向と垂直な方向に延びる直線を少なくとも一つの回転中心軸線として回転することを特徴とする請求項１乃至４のいずれかに記載の面発光システムである。
【００１９】
かかる構成によると、支柱部材が面発光モジュールを保持した状態で、面発光モジュールの面発光パネル（発光面）の向きを可変させることが可能となる。このことから、演出照明として周辺を照らすとき、多様な照らし方が可能となり、汎用性の高い使用が可能となる。
【発明の効果】
【００２０】
本発明によると、美しく洗練された印象の空間を形成可能であり、且つ、多目的な照明として使用可能な面発光システム提供することができる。
【図面の簡単な説明】
【００２１】
【図１】本発明の実施形態に係る照明装置を室内に配置した様子を示す説明図である。
【図２】図１の照明装置を示す斜視図である。
【図３】図２の支柱本体部を示す分解斜視図である。
【図４】図３の支柱部形成片を示す正面図である。
【図５】図３の支柱部形成片を示す平面図である。
【図６】図３とは異なる方向からみた支柱部形成片を示す斜視図であり、一部を拡大して示す。
【図７】図６の結束体取付部を示す図であり、（ａ）は斜視図、（ｂ）は背面図、（ｃ）は側面図である。
【図８】図２の支柱部のグリップ部周辺を示す斜視図である。
【図９】取付領域にモジュール保持部を取り付ける様子を示す説明図である。
【図１０】図９の保持板部に給電端子部を取り付けて内側面側からみた状態を示す斜視図である。
【図１１】図９の保持板部を示す正面図である。
【図１２】図２の支柱部におけるグリップ部の周辺を帯状板部の一部を省略して示す説明図であり、（ａ）はコネクタピンが外部に突出していない状態を示し、（ｂ）はコネクタピンが外部に突出した状態を示す。
【図１３】図９の保持板部を内側面側からみた状態を示す斜視図である。
【図１４】図１０の給電端子部を示す斜視図である。
【図１５】図１０の給電端子部を示す分解斜視図である。
【図１６】図１４のケース蓋部を示す斜視図であり、（ａ）は正面側からみた図、（ｂ）は背面側からみた図である。
【図１７】図１４のピン回動機構部を正面側からみた状態を示す斜視図である。
【図１８】図１４のピン回動機構部を背面側からみた状態を示す斜視図である。
【図１９】図１４のピン回動機構部を示す側面図である。
【図２０】図１７のトリガー形成片を正面側からみた状態を示す斜視図である。
【図２１】図１７のトリガー形成片を背面側からみた状態を示す斜視図である。
【図２２】図１７の基板支持片を正面側からみた状態を示す斜視図である。
【図２３】図１７の基板支持片を背面側からみた状態を示す斜視図である。
【図２４】図１４のピン回動機構部がピン退入姿勢からピン突出姿勢へ姿勢変更する様子を示す説明図であり、（ａ）、（ｂ）の順に姿勢変更する。
【図２５】図９で示される支持台本体を示す図であり、（ａ）は正面図、（ｂ）は側面図、（ｃ）は後方側からみた斜視図である。
【図２６】図９で示される支持台部を示す図であり、（ａ）は側面図、（ｂ）は後方側からみた斜視図である。
【図２７】図２のグリップ部を示す斜視図である。
【図２８】図２７のグリップ部を下方側からみた状態を示す斜視図である。
【図２９】図２７のグリップ部を示す図であり、（ａ）は下面図、（ｂ）は一部破断斜視図である。
【図３０】図２のベース部を示す斜視図である。
【図３１】図３０のベース部を下方側からみた状態を示す斜視図である。
【図３２】図３０のベース部から蓋部材を外した状態を示す斜視図である。
【図３３】図３０の筒状補強部を示す図であり、（ａ）は斜視図、（ｂ）は正面図である。
【図３４】図３０の筒状補強部を示す分解斜視図である。
【図３５】図３２の重量体を示す説明図であり、重り板を重ねる様子を示す。
【図３６】図３２の収納用箱状部に電源側基板を取り付けた様子を示す図であり、（ａ）は斜視図、（ｂ）は平面図である。
【図３７】図３２の収納用箱状部を示す斜視図である。
【図３８】図２の支柱部の組み立て手順を示す説明図であり、グリップ部にボタン付基板を取り付ける様子を示す。
【図３９】図３８に続く組み立て手順を示す説明図であり、ボタン付基板が取り付けられたグリップ部を下方側からみた状態を示す一部破断斜視図である。
【図４０】図３９に続く組み立て手順を示す説明図であり、支柱部形成片にプリント基板を取り付ける様子を示す図であって、（ａ）は取り付け前、（ｂ）は取り付け後の状態を示す。
【図４１】図４０に続く組み立て手順を示す説明図であり、グリップ部に支柱部形成片を取り付ける様子を示す。
【図４２】図４０に続く支柱部の組み立て手順を示す説明図であり、グリップ部に支柱本体部を取り付けた状態を示す。
【図４３】図４２に続く支柱部の組み立て手順を模式的に示す説明図であり、収納用箱状部を取り付けた蓋部材に対して筒状補強部と支柱本体部を取り付ける様子を示す。
【図４４】図４３に続く支柱部の組み立て手順を模式的に示す説明図であり、蓋部材に筒状補強部と支柱本体部を取り付けた状態を示す。
【図４５】図４４に続く支柱部の組み立て手順を模式的に示す説明図であり、重量体を配し、制御基板を取り付ける様子を示す。
【図４６】図４５に続く支柱部の組み立て手順を模式的に示す説明図であり、蓋部材に箱部本体を取り付ける様子を示す。
【図４７】図２の面発光モジュールを示す斜視図である。
【図４８】図４７の面発光モジュールを示す底面図である。
【図４９】図４７の面発光モジュールを示す分解斜視図である。
【図５０】図４９の面発光モジュールにおいて、基台部内に収納される部材をさらに分解して示す分解斜視図である。
【図５１】図４９の背面板を示す斜視図である。
【図５２】図４９の発光パネルを示す説明図であり、（ａ）は発光面側からみた図、（ｂ）は裏面側からみた図である。
【図５３】図４９のバッテリー収納部を示す斜視図であり、（ａ）は上方側からみた斜視図、（ｂ）は下方側からみた斜視図である。
【図５４】図４７の面発光モジュールの組み立て手順を示す説明図であり、モジュール側保持磁石、バッテリー、底板形成板を取り付ける様子を示す。
【図５５】図２とは異なる照明装置を示す斜視図である。
【図５６】図５５の照明装置での面発光モジュールの重なりを模式的に示す説明図であり、異なる面発光モジュールの発光面が平面視において重なる部分を黒塗りで示す。
【図５７】図４７とは異なる面発光モジュールを示す説明図であり、（ａ）は基準姿勢を示し、（ｂ）は他方側照射姿勢を示す。
【図５８】図５７の面発光モジュールの内部構造を模式的に示す説明図である。
【図５９】図５７の面発光モジュールを支柱部材に取り付けた様子を模式的に示す説明図であり、（ａ）は面発光モジュールが基準姿勢をとる状態、（ｂ）は面発光モジュールが他方側照射姿勢をとる状態を示す。
【図６０】図２、図５５とは異なる支柱部を示す説明図であり、モジュール保持部が取り付けられた部分の周辺が回動する様子を示す図であって、（ａ）、（ｂ）はそれぞれ回動前、回動後を示す。
【図６１】図６０の支柱部に面発光モジュールが取り付けられた状態で、モジュール保持部の周辺が回動する様子を示す説明図であって、（ａ）、（ｂ）はそれぞれ回動前、回動後を示す。
【図６２】図２、図５５、図６０とは異なる支柱部を示す説明図であり、モジュール保持部が取り付けられた部分の周辺を示す。
【図６３】図６２の支柱部に面発光モジュールが取り付けられた状態で、モジュール保持部の周辺が回動する様子を示す説明図であって、（ａ）は回動前を示し、（ｂ）、（ｃ）はそれぞれ（ａ）から異なる方向へ回動した様子を示す。
【発明を実施するための形態】
【００２２】
以下、本発明の実施形態にかかる照明装置１（面発光システム）について、図面を参照しつつ詳細に説明する。なお、以下の説明において、特に断りのない限り、図２で示されるＸ方向を前後方向とし、Ｙ方向を上下方向とし、Ｚ方向を左右方向として説明する。
【００２３】
本実施形態に係る照明装置１は、図１、図２で示されるように、支柱部２（支柱部材）と、複数の面発光モジュール３を備えた構造となっており、支柱部２に対して面発光モジュール３を取り付けた状態で使用可能なものとなっている。
なお、このように支柱部２に対して面発光モジュール３を取り付けた状態では、床に設置して使用する室内照明（フロアスタンド）として、好適に使用可能となっている。
【００２４】
支柱部２は、図２で示されるように、長尺状に延びる支柱本体部１０と、支柱本体部１０の上端側（支柱本体部１０の長手方向における一端側）に位置するグリップ部１１と、支柱本体部１０の下端側（支柱本体部１０の長手方向における他端側）に位置するベース部１２を備えた構造となっている。
【００２５】
支柱本体部１０は、四角筒状で上下方向に延びる部分であり、平面視で四角環状に連続する４つの板状部分を有する形状となっている。
すなわち、幅方向の長さが比較的長い（外側面及び内側面の面積が比較的大きい）２つの第１周壁形成板部１４、１５と、幅方向の長さが比較的短い（外側面及び内側面の面積が比較的小さい）２つの第２周壁形成板部１６、１７を備えた形状となっている。
【００２６】
これら２つの第１周壁形成板部１４、１５と、２つの第２周壁形成板部１６、１７は、いずれも上下方向に延びる立板状の部分であり、且つ、その厚さ方向が外側面及び内側面と直交する方向（内外方向）となっている。
そして、２つの第１周壁形成板部１４、１５は前後方向（図２におけるＸ方向）で離間対向しており、２つの第２周壁形成板部１６、１７は左右方向（図２におけるＺ方向）で離間対向している。つまり、２つの第１周壁形成板部１４、１５の並列方向と、２つの第２周壁形成板部１６、１７の並列方向とは、互いに直交する２方向となっている。
【００２７】
具体的には、この支柱本体部１０は、図３で示されるように、二部材によって形成される部材であり、２つの支柱部形成片１０ａを一体に連結して形成されている。
なお、２つの支柱部形成片１０ａは、同一形状の部材であるので、一方の支柱部形成片１０ａの具体的な構造のみ説明し、他方の支柱部形成片１０ａの詳細な説明を省略する。
【００２８】
支柱部形成片１０ａは、１つの第１周壁形成板部１４と１つの第２周壁形成板部１６が一体に形成された部材であり、平面視形状が略Ｌ字状で上下方向に延びる部材（断面形状が略Ｌ字状で延びる部材）となっている。
【００２９】
第１周壁形成板部１４の一部は、図４で示されるように、モジュール保持部２７（保持部であり、詳しくは後述する。図８等参照）を取り付けるための取付領域１８となっている。
具体的には、第１周壁形成板部１４には、上下方向で所定の間隔を空けて並列するように複数の取付領域１８が位置している。そして、それぞれの取付領域１８には、磁石取付用孔１８ａ、機構挿通用孔１８ｂ、突起挿通用孔１８ｃ、保持部固定用孔１８ｄからなる各種貫通孔が形成されている。これらの貫通孔は、いずれも第１周壁形成板部１４を厚さ方向（前後方向）に貫通する孔となっている。
なお、それぞれの取付領域１８は同形の部分であるので、一つの取付領域１８についてのみ具体的に説明し、他の詳細な説明を省略する。
【００３０】
磁石取付用孔１８ａは、複数（本実施形態では２つ）設けられており、いずれも取付領域１８の上端よりの同一の高さとなる位置に形成されている。そして、この複数の磁石取付用孔１８ａが左右方向（第１周壁形成板部１４の幅方向）で所定間隔を空けて並列した状態となっている。
なお、この磁石取付用孔１８ａの開口形状は、横倒させた略Ｈ字状となっている。
【００３１】
機構挿通用孔１８ｂは、一方の磁石取付用孔１８ａの下方側であり、左右方向における片側端部側（図４における左側）よりの位置に形成された孔であり、その開口形状が上下方向に延びる縦長長方形状となっている。
【００３２】
突起挿通用孔１８ｃは、複数（本実施形態では２つ）設けられており、いずれも取付領域１８の下端よりの同一の高さとなる位置に形成されている。すなわち、複数の突起挿通用孔１８ｃが、左右方向で所定間隔を空けて並列した状態となっている。
本実施形態では、一方の開口形状がやや左右方向に長い隅丸長方形状であり、他方の開口形状が円形となっている。そして、一方の突起挿通用孔１８ｃが左右方向の片側端部よりの位置であり、機構挿通用孔１８ｂよりも左右方向における中心側に位置し、他方の突起挿通用孔１８ｃが左右方向の他方側端部よりの位置に形成されている。
【００３３】
保持部固定用孔１８ｄは、取付領域１８の上端よりの同一の高さとなる位置と、下端よりの同一の高さとなる位置のそれぞれに複数ずつ（本実施形態では２つずつ）形成され、それぞれの位置で左右方向に所定の間隔を空けて並列した状態となっている。
また、上端よりの位置に形成されたそれぞれの保持部固定用孔１８ｄの下方側には、下端よりの位置に形成されたそれぞれの保持部固定用孔１８ｄが位置している。
【００３４】
さらに、第１周壁形成板部１４には、上端近傍であり、上端よりもやや下方側の同一の高さとなる位置に複数（本実施形態では２つ）のグリップ取付用孔１９が形成されており、これらが左右方向で所定間隔を空けて並列した状態となっている。
ここで、第１周壁形成板部１４の下端側の一部分は、外側面が上側部分の外側面よりも内側に位置しており、これらが段差を介して連続した状態となっている（図３等参照）。なお、第２周壁形成板部１６においても同様に、下端側の外側面が上側部分の外側面よりも内側に位置し、これらが段差を介して連続している。このことから、支柱本体部１０を形成すると、下端側の部分に上側部分よりも細い角筒状の部分が形成される。
ところで、第１周壁形成板部１４の下端側の部分であり、幅方向の中心側に位置する部分には、欠落部２０が形成されている。この欠落部２０は、正面視した形状が略横長長方形状となるように切り欠いた部分となっている。
【００３５】
また、支柱部形成片１０ａの内側部分、すなわち、第１周壁形成板部１４と、第２周壁形成板部１６の内周面側には、図５で示されるように、補強突条部２１、基板取付用突条部２２、孔閉塞用突条部２３、係合突条部２４が形成されている。
【００３６】
補強突条部２１は、図６で示されるように、第１周壁形成板部１４と第２周壁形成板部１６が連続する角部分の内側に一体に形成され、一部が断続しつつ上下方向に延びる略直方体状部分である。より詳細には、機構挿通用孔１８ｂの裏面側に位置する部分が欠落した状態で上下方向に延びている。
【００３７】
基板取付用突条部２２は、第２周壁形成板部１６の幅方向（前後方向）における一端近傍であり、補強突条部２１が位置する端部とは異なる端部近傍に形成されている。この基板取付用突条部２２は、上下方向に延びる略直方体状部分であり、適宜の部分にプリント基板２０２（詳しくは後述する）を固定するための貫通孔（図示しない）が形成されている。それぞれの貫通孔は、いずれも基板取付用突条部２２を前後方向に貫通する貫通孔となっている。
さらに、基板取付用突条部２２には、図６で示されるように、上下方向の中心よりも下端よりの位置に結束体取付部２２ａが形成されている。
【００３８】
結束体取付部２２ａは、基板取付用突条部２２の一部を欠落させて形成される部分であり、図７で示されるように、基板取付用突条部２２の左右方向における中心側近傍に位置する空間部２２ｂと、空間部２２ｂより内側に位置する薄肉部２２ｃとを備えている。
空間部２２ｂは、基板取付用突条部２２を前後方向に貫通する部分である。
薄肉部２２ｃは、直立した姿勢の薄板状の部分であり、その前後方向の長さ（厚さ）が隣接する基板取付用突条部２２の他の部分の前後方向の長さよりも短くなっている。
このことから、薄肉部２２ｃの内側部分には、空間部２２ｂの一部が位置し、この空間部２２ｂの一部は、薄肉部２２ｃと周囲の部分によって囲まれた空間となっている。つまり、薄肉部２２ｃと周囲の部分とは、正面視において環状に連続している（図７（ｂ）参照）。したがって、薄肉部２２ｃに紐状の部材を巻き付けることが可能となっている。
【００３９】
また、図５で示されるように、基板取付用突条部２２うち、前後方向（図５では上下方向）の両端面のうちの一方であり、補強突条部２１と対向する面の反対側に位置する面には、係合凹部２２ｄが形成されている。
この係合凹部２２ｄは、外側から内側へ向かって（補強突条部２１へ近接する方向へ向かって）窪んだ部分となっており、断面形状が略四角形状で上下方向に延びる空間を形成している（図６参照）。
【００４０】
孔閉塞用突条部２３は複数（２つ）形成されており、具体的には、図６で示されるように、一部が断続しつつ上下方向に延びた略直方体状の第１閉塞用突条部２３ａと、上下方向に延びた略直方体状の第２閉塞用突条部２３ｂが形成されている。これらは、いずれも複数の磁石取付用孔１８ａの内側開口と重なるように形成されている。
【００４１】
第１閉塞用突条部２３ａは、機構挿通用孔１８ｂの裏面側に位置する部分が欠落した状態で上下方向に延びている。言い換えると、上下方向で並列し、それぞれが上下方向に延びる複数の直方体状の部分によって形成される部分となっている。
この第１閉塞用突条部２３ａの各部は、磁石取付用孔１８ａの内側に隣接している。つまり、第１閉塞用突条部２３ａは、上下方向で所定の間隔を空けて並列配置される磁石取付用孔１８ａの列のうち、一方側の列の裏面側で延びる部分となっている。
【００４２】
第２閉塞用突条部２３ｂは、上下方向に延びる直方体状の部分であり、各部が磁石取付用孔１８ａの内側に隣接している。すなわち、上下方向で所定の間隔を空けて並列配置される磁石取付用孔１８ａの列のうち、他方側の列の裏面側で延びる部分となっている。
【００４３】
係合突条部２４は、第１周壁形成板部１４の内側面の左右方向における一端側であり、補強突条部２１が位置する端部とは異なる端部側に形成されている。この係合突条部２４は、第１周壁形成板部１４の内側面からさらに内側へ突出し、上下方向に沿って延びる部分となっている。
【００４４】
なお、これら補強突条部２１、基板取付用突条部２２、係合突条部２４は、支柱部形成片１０ａの上端から下端までの間で延びており、孔閉塞用突条部２３は、支柱部形成片１０ａの上端から下端よりも上方に離れた位置まで延びている。
【００４５】
ここで、上記したそれぞれの取付領域１８（図３等参照）には、モジュール保持部２７が取り付けられる（図８参照）。より具体的には、第１周壁形成板部１４、１５のそれぞれに対し、複数（本実施形態では５つ）のモジュール保持部２７が上下方向で所定間隔を空けて並列した状態となるように、それぞれ取り付けられている（図２等参照）。
なお、それぞれのモジュール保持部２７は同様の構造であるため、一のモジュール保持部２７についてのみ詳細に説明し、他のモジュール保持部２７の詳細な説明を省略する。
【００４６】
モジュール保持部２７は、図８で示されるように、上側（グリップ部１１側）に位置する主保持部２８と、下側（ベース部１２側、図２参照）に位置する支持台部２９を備えた構造となっている。
【００４７】
主保持部２８は、図９、図１０で示されるように、第１周壁形成板部１４に固定される保持板部３０（嵌合部）と、保持板部３０の内側面（後側面）に取り付けられる給電端子部３１（図１０参照）とを備えた構造となっている。なお、作図の都合上、図１０では、給電端子部３１に内蔵される部材（後述するピン回動機構部４２）の図示を省略する。
【００４８】
保持板部３０は、図９で示されるように、立板状の本体板部３２と、本体板部３２からさらに外側に突出するように形成される帯状板部３３を備えた構造となっている。
【００４９】
本体板部３２は、立板状の部材であり、正面視した形状が、下端側に欠落部分を有する略四角形状となっている。本体板部３２は、その厚さ方向が第１周壁形成板部１４の厚さ方向と同方向となっており、第１周壁形成板部１４に対して添え当てられた状態で取り付けられる部材である。
【００５０】
本体板部３２の幅方向における両端部のそれぞれには、外側（前側）へ突出するガイド突起部３２ａが形成されている。このガイド突起部３２ａは、いずれも直方体状の部分であって、上下方向に延びる部分となっている。
【００５１】
本体板部３２の上端側には、複数（本実施形態では２つ）の磁石露出部３４が形成されており、この複数の磁石露出部３４が本体板部３２の幅方向で所定間隔を空けて並列した状態となっている。
【００５２】
磁石露出部３４は、本体板部３２を厚さ方向に貫通する貫通孔であり、その開口形状が四角形状となっている。そして、本体板部３２のうち、帯状板部３３よりも上方側に位置する部分であり、且つ、２つのガイド突起部３２ａの間となる部分において、複数の磁石露出部３４が並列した状態となっている。
【００５３】
本体板部３２の下端側には、図１１で示されるように、中央側突片３２ｂと、２つの端部側突片３２ｃがそれぞれ形成されている。これらは、本体板部３２の下端側の一部が欠落することで形成される部分であり、いずれも左右方向（本体板部３２の幅方向）で隣接する部分よりも下方側まで延びている。
中央側突片３２ｂは、本体板部３２の幅方向に長い立板状の部分であり、本体板部３２の幅方向における中心側で下方へ延びた部分となっている。
一方の端部側突片３２ｃは、本体板部３２の幅方向における片側端部よりもやや中心側よりの位置で下方へ延びた部分となっている。
対して、他方の端部側突片３２ｃは、本体板部３２の幅方向における他方側端部よりもやや中心側よりの位置で下方へ突出する部分となっている。
【００５４】
すなわち、本体板部３２の幅方向における片側端部側から他方側端部へ向かって、一方の端部側突片３２ｃ、中央側突片３２ｂ、他方の端部側突片３２ｃの順となるように、これらが所定の間隔を空けて並列した状態となっている。
なお、上下方向の長さは、中央側突片３２ｂが最も長く、２つの端部側突片３２ｃの下端は、いずれも中央側突片３２ｂの下端よりも上側に位置している。
【００５５】
帯状板部３３は、図９で示されるように、平面視した形状が略コ字状となる部分となっている。すなわち、本体板部３２のガイド突起部３２ａから外側に突出する２つの基端側板部３３ａと、基端側板部３３ａの突出端部同士の間で延びる先端側板部３３ｂとが一体となって形成される部分となっている。
この帯状板部３３の内側であり、帯状板部３３の内周面と本体板部３２の外側面によって囲まれた部分には、面発光モジュール３の一部を挿通するためのモジュール保持空間３５が形成されている。
【００５６】
また、図１２で示されるように、本体板部３２のうち、帯状板部３３の内側に位置する部分には、コネクタピン１０５（詳しくは後述する）を内部から突出させるためのピン挿通孔群３６が形成されている。そして、本体板部３２のうち、ピン挿通孔群３６よりも下方側であり、且つ、帯状板部３３よりも下方側に位置する部分には、トリガー挿通孔３７が設けられている。
【００５７】
ピン挿通孔群３６は、図１２で示されるように、それぞれ上下方向に延びる複数（３つ）の長孔によって構成されており、この長孔が本体板部３２の幅方向でそれぞれ所定の間隔を空けて並列した状態となっている。それぞれの長孔は、本体板部３２を厚さ方向に貫通する貫通孔となっている。
【００５８】
トリガー挿通孔３７は、開口形状が略縦長四角形状となる長孔であり、本体板部３２を厚さ方向に貫通する貫通孔となっている。
なお、このトリガー挿通孔３７からは、給電端子部３１のトリガー片８２（詳しくは後述する）が外部に突出している。そして、トリガー片８２が下方側へ押圧されると、コネクタピン１０５の一部がピン挿通孔群３６から外部に突出する構造となっている。
【００５９】
さらに、図１１で示されるように、中央側突片３２ｂの外側面には、位置決め突起３８が形成されている。
また、図１３で示されるように、本体板部３２の内側面であり、中央側突片３２ｂの内側面にもまた、複数（本実施形態では２つ）の位置決め突起３８が形成されている。
【００６０】
加えて、本体板部３２の内側面には、給電端子部３１を取り付けるための位置決め突起３２ｄと、挿通孔形成突起３２ｅが複数形成されている。そして、本体板部３２の内側面であり、且つ、トリガー挿通孔３７の下方側には、給電端子部３１を取り付けるための取付用突起部３２ｆが形成されている。
【００６１】
位置決め突起３２ｄは、本体板部３２の内側面からさらに内側へ突出する棒状の部分となっている。
挿通孔形成突起３２ｅは、締結要素を挿通するための挿通孔が形成される部分であり、本体板部３２の内側面からさらに内側へ突出する円筒状の部分となっている。つまり、この挿通孔形成突起３２ｅには、突出端面に開口を有し、且つ、突出端面から突出方向基端側へ向かって窪んだ挿通孔が形成されている。
なお、締結要素とは、ねじ、釘、ボルト等の上位概念とする。
そして、取付用突起部３２ｆは、本体板部３２の内側面からさらに内側へ突出し、且つ、突出方向先端側が屈曲した鉤状突起となっている。
【００６２】
ここで、本体板部３２の内側面のうち、位置決め突起３２ｄ、挿通孔形成突起３２ｅ、取付用突起部３２ｆと近接する部分は、給電端子部３１を取り付けるための領域となっている。つまり、本体板部３２の内側面は、図１０で示されるように、給電端子部３１を取り付け可能となっている。
【００６３】
給電端子部３１は、図１４、図１５で示されるように、前方が外部に開放されたケース部４０と、ケース部４０の前方下方側を覆うケース蓋部４１と、ケース部４０の内部に収納されるピン回動機構部４２を備えている。
【００６４】
ケース部４０は、前面側（本体板部３２側）の略全域が外部に開放された有底箱状の部材である。
【００６５】
詳細には、ケース部４０は、上下方向で離間対向する天板部４０ａ及び底板部４０ｂと、左右方向で離間対向して側壁を形成する第１立壁部４０ｃ及び第２立壁部４０ｄと、背面壁を形成する第３立壁部４０ｅを備えた構造となっている。
そして、第１立壁部４０ｃ、第２立壁部４０ｄ、第３立壁部４０ｅは、平面視においてコ字状に連続しており、これらによって三方を囲まれた空間の上方に天板部４０ａが位置している。同様に、これらによって三方を囲まれた空間の下方に底板部４０ｂが位置している。
つまり、第１立壁部４０ｃ、第２立壁部４０ｄ、第３立壁部４０ｅによって三方を囲まれ、且つ、天板部４０ａ及び底板部４０ｂによって上方及び下方を囲まれた空間が、ピン回動機構部４２を収納するためのケース部４０の収納空間４５となっている。
【００６６】
さらにケース部４０は、固定片部４８と、突起係合部４９と、蓋係合突起部５０と、蓋取付用凹部５１、挿通孔形成突起５２を備えた構造となっている（図１５参照）。
【００６７】
固定片部４８は、ケース部４０の外側面から外側へ突出する板状の部分であり、その厚さ方向が本体板部３２の厚さ方向と同方向となっている。
本実施形態では、複数（２つ）の固定片部４８が形成されており、その一方が天板部４０ａの上面から上方に突出しており、他の一つが第１立壁部４０ｃから側方へ突出している。それぞれ固定片部４８には、いずれも突起用孔４８ａと、締結用孔４８ｂが形成されている。
【００６８】
突起用孔４８ａと、締結用孔４８ｂは、いずれも固定片部４８を厚さ方向に貫通する貫通孔となっている。
突起用孔４８ａは、位置決め突起３２ｄ（図１３参照）を挿通可能な孔である。
締結用孔４８ｂは、ケース部４０を本体板部３２に対して一体に固定する際に締結要素を挿通する孔となっている。具体的には、挿通孔形成突起３２ｅ（図１３参照）に形成された挿通孔と重ね合わせた状態で、締結要素を挿通可能となっている。
【００６９】
すなわち、固定片部４８は、給電端子部３１を保持板部３０に対して取り付ける際、位置決めのための位置決め部として機能する部分であり、且つ、固定のための固定片としても機能する部分となっている。
【００７０】
突起係合部４９は、取付用突起部３２ｆ（図１３参照）と係合可能な部分であり、底板部４０ｂと一体に形成された部分となっている。具体的には、図１５で示されるように、突起係合部４９は、底板部４０ｂのうちで前方側に位置する切り欠き状となった部分に形成され、前方下側（外方下側）へ突出する平板状の基端部４９ａと、基端部４９ａの突出端から前方（外方）へ突出する先端部４９ｂが一体となっている。そして、先端部４９ｂは、平面視した形状が略コ字状となる板状の部分となっている。つまり、突起係合部４９には、開口形状（平面視形状）が四角形状となり、自身を上下方向に貫通する貫通孔が形成された状態となっている。
なお、この突起係合部４９は、全体として可撓性を有する部分となっている。
【００７１】
蓋係合突起部５０は、第１立壁部４０ｃから側方へ突出した部分であり、平面視形状が略Ｌ字状となる突起である。具体的には、第１立壁部４０ｃの外側面から側方外側へ突出する基端板部と、基端板部の突出端から前方（取り付け時における保持板部３０側）へ突出する先端板部とが一体となって形成されている。
【００７２】
蓋取付用凹部５１は、第２立壁部４０ｄの前端面（外側端面）に形成され、後側（支柱本体部１０を基準した内側）へ向かって窪んだ部分である。本実施形態では、図１５で示されるように、複数（３つ）の蓋取付用凹部５１が形成されており、それぞれが上下方向で所定の間隔を空けて並列するように形成されている。
【００７３】
挿通孔形成突起５２は、第１立壁部４０ｃのうち、収納空間４５に面する部分に形成される部分であり、収納空間４５側に向かって隆起した部分となっている。
この挿通孔形成突起５２は、締結要素を挿通するための挿通孔が形成される部分であり、前方から後方へ延びる円筒状の部分である。つまり、この挿通孔形成突起５２には、前面に開口を有し、且つ、前面から後方へ向かって窪んだ挿通孔が形成されている。
【００７４】
ここで、ケース部４０の上方部分には、図１０で示されるように、ケーブル挿通部５７が形成されている。
ケーブル挿通部５７は、共に収納空間４５と外部を連通する第１挿通用孔５７ａ、第２挿通用孔５７ｂの２つの貫通孔を備えた構造となっている。そして、これら第１挿通用孔５７ａ、第２挿通用孔５７ｂの間に、結束体掛止部５８が形成されている。
【００７５】
第１挿通用孔５７ａと第２挿通用孔５７ｂは、左右方向（図１０におけるＺ方向）で離れた位置にそれぞれ形成され、いずれもケース部４０の上方で三面に跨る部分を貫通する貫通孔となっている。すなわち、三面の角部分を欠落させて形成される貫通孔となっている。
【００７６】
結束体掛止部５８は、ケーブルを保持するための帯状の結束部材等を巻き付け可能な部分であり、天板部４０ａの一部及び第３立壁部４０ｅの一部によって形成される部分である。つまり、結束体掛止部５８は、組み立て時の外側から内側（図１０の奥側から手前側）へ向かって延びる部分と、内側端部から下方へ向かって延びる部分とが連続した略Ｌ字板状の部分となっている。
【００７７】
ここで、結束体掛止部５８の一部であり、第３立壁部４０ｅの一部によって形成される部分には、ケーブル掛止溝５９が形成されている。
ケーブル掛止溝５９は、結束体掛止部５８の一部を切り欠いた形状であり、第１挿通用孔５７ａ側から第２挿通用孔５７ｂ側へ延びる長溝となっている。
【００７８】
ケース蓋部４１は、図１６で示されるように、正面視した形状が略ロ字状となる蓋板本体部６３と、蓋板本体部６３の幅方向（図１４におけるＺ方向）における一端側であり上側後面から後方へ突出するケース掛止片部６４とが一体となった部材である。
【００７９】
蓋板本体部６３には、幅方向の中心近傍であって下方よりの部分に、蓋側トリガー挿通孔６３ａが形成されている。蓋側トリガー挿通孔６３ａは、正面視した形状（開口形状）が縦長四角形状であって、上下方向に延びる長孔であり、蓋板本体部６３を厚さ方向（前後方向）に貫通する貫通孔となっている。
【００８０】
また、蓋板本体部６３の幅方向における一端側であり、ケース掛止片部６４の下方側には、締結要素配置部６５が形成されている。そして、蓋板本体部６３の幅方向における他端側には、位置決め突起６３ｂが形成されている。
【００８１】
締結要素配置部６５は、後方へ向かって窪んだ部分であり、締結要素の一部（ネジ等の頭部）を配置するための手前側配置空間６５ａと、手前側配置空間６５ａの後方側に隣接する奥側立板部６５ｂを備えている。奥側立板部６５ｂは、厚さ方向が蓋板本体部６３の厚さ方向と同方向の板状部分であり、自身を厚さ方向に貫通する貫通孔が形成されている。
【００８２】
位置決め突起６３ｂは、蓋板本体部６３の幅方向の端部に位置する端面から、側方外側へ突出する直方体状の突起部分である。
本実施形態では、複数（３つ）の位置決め突起６３ｂが形成されており、上下方向で所定の間隔を空けて並列するように形成されている。
ケース掛止片部６４は、蓋板本体部６３と略垂直に交わる立板状の部分である。
【００８３】
ピン回動機構部４２は、図１５、図１７乃至図１９で示されるように、トリガー形成片７０、基板支持片７１、コネクタ基板７２、回動軸形成部７３、第１付勢部材７４、第２付勢部材７５（図１５参照）を備えた構造となっている。
【００８４】
トリガー形成片７０は、図２０で示されるように、下側に位置する本体部８０と、上側に位置する２つの回動板部８１とが一体となって形成される部分である。このトリガー形成片７０は、本体部８０と一体に形成されるトリガー片８２を備えた構造となっている。そして、トリガー片８２は、本体部８０の前方側部分から前方へ突出する横長直方体状の部分となっており、突出端側が丸みを帯びた形状となっている。より詳細には、トリガー片８２は、本体部８０の幅方向における中心近傍であって上側の部分から、前方へ突出する部分となっている。
【００８５】
また、このトリガー形成片７０では、本体部８０の幅方向における両端部側のそれぞれには、回動板部８１が形成されている。回動板部８１は、厚さ方向が本体部８０の幅方向と同方向になる立板状の部分であり、上側部分は、本体部８０の上端より上方に位置した状態となっている。そして、上端面は、丸みを帯びて上方に凸となる形状となっている。そして、２つの回動板部８１は、本体部８０の幅方向で離間対向した状態となっている。
【００８６】
ここで、２つの回動板部８１のそれぞれには、自身を厚さ方向に貫通する軸挿通孔８１ａが形成されている。それぞれ異なる回動板部８１に形成された２つの軸挿通孔８１ａは、開口形状がいずれも円形であって、開口径が同径であり、それぞれの中心軸が同一軸上にある孔となっている。
【００８７】
さらに、本体部８０の前方側であり、２つの回動板部８１の下方側部分同士の間には、２つの段状部８５が形成されている。
具体的には、一方の段状部８５が、トリガー片８２の片側側面と一方の回動板部８１の間に形成されており、他方の段状部８５が、トリガー片８２の他方側側面と一方の回動板部８１の間に形成されている。
【００８８】
また、本体部８０の後方側には、図２１で示されるように、付勢部材挿通孔８０ａが形成されている。付勢部材挿通孔８０ａは、前方へ向かって窪んだ部分であり、開口形状が円形となる有底孔となっている。
また、本体部８０の後方側のうち、上側部分には、周囲よりも後方側に隆起し、本体部８０の幅方向に一部断続しつつ延びる隆起部８０ｂが形成されている。そして、本体部８０の後側面のうち、隆起部８０ｂの断続した部分に位置する部分には、前方へ向かって窪んだ窪み部分が形成されている。
【００８９】
基板支持片７１は、図２２、図２３で示されるように、上側に位置する基板固定部９０と、下側に位置する２つの回動板部９１とが一体となって形成される部分である。
【００９０】
基板固定部９０は、正面視した形状がＬ字状となる取付板部９０ａと、取付板部９０ａの後面（内側面）と一体に形成される第１突出体部９０ｂ、第２突出体部９０ｃ、第３突出体部９０ｄを有している（図２３参照）。
【００９１】
取付板部９０ａは、正面視形状が横長長方形状となる下方側部分と、下方側部分のうちで長手方向の一端側よりの位置から上方に突出する上方側部分とを有している。そして、上方側部分の側方に隣接する位置であり、下方側部分の上方に隣接する位置にコネクタ配置空間９３が形成された状態となっている。
【００９２】
取付板部９０ａの前面（正面であり、外側面）には、図２２で示されるように、前方（外側）へ突出する位置決め突起９６が形成されている。なお、本実施形態では、複数（２つ）の位置決め突起９６が形成されており、いずれも取付板部９０ａのうちで上下方向に長い部分に形成され、上下方向で所定の間隔を空けて並列した状態となっている。
さらに、取付板部９０ａの前面には、取付板部９０ａと第１突出体部９０ｂを貫通する貫通孔である締結要素挿通孔９７の開口部分が位置している。なお、この締結要素挿通孔９７の開口部分は、下方側の位置決め突起９６から左右方向（図１４のＺ方向）に離れた位置に配されている。
【００９３】
第１突出体部９０ｂは、図２３で示されるように、取付板部９０ａの後面（内側面）から後方（内側）へ突出する円柱状の部分となっている。そして、第２突出体部９０ｃは、取付板部９０ａの後面（内側面）から後方（内側）へ突出する縦長直方体状の部分となっている。
さらに、第３突出体部９０ｄは、平面視形状が略凹字状となる突出部分であり、一部が第２突出体部９０ｃの上端近傍と一体に形成されている。すなわち、第３突出体部９０ｄは、後方へ突出する２つの直方体状の突起部分を有しており、その先端側部分同士の間に空間が形成される構造となっている。
なお、２つの突起部分の上下方向の長さは、２つの突起部分の基端側同士の間に位置する板状部分の上下方向の長さよりも長くなっている（詳細な図示を省略する）。このことから、この板状部分の下方側であり、２つの突起部分の内側側面同士の間に空間が形成されている。
【００９４】
これら第１突出体部９０ｂ、第２突出体部９０ｃ、第３突出体部９０ｄは、いずれも取付板部９０ａの下方側部分の後面から突出する。第１突出体部９０ｂと第２突出体部９０ｃは、左右方向（取付板部９０ａの下方側部分の長手方向）で所定の間隔を空けて並列した状態となっている。
【００９５】
２つの回動板部９１は、左右方向（図１４のＺ方向）で離間対向した状態となるように配されており、いずれもその厚さ方向が左右方向と同方向となる板状部分となっている。
具体的には、回動板部９１は、側面視した形状が略円形となる本体部９１ａと、本体部９１ａの上方後側（内側上方）から上方に突出する連結板部９１ｂと、本体部９１ａの下方前側（外側下方）から下方に突出する回動脚部９１ｃとを備えた構造となっている。
【００９６】
それぞれの回動板部９１は、本体部９１ａに自身を厚さ方向に貫通する軸挿通孔９８が形成されている。この２つの軸挿通孔９８は、開口形状がいずれも円形であって、開口径が同径であり、それぞれの中心軸が同一軸上にある孔となっている。
【００９７】
一方の回動板部９１の連結板部９１ｂは、図２３で示されるように、取付板部９０ａ及び第１突出体部９０ｂの下方側と一体に形成され、これらと本体部９１ａの間で延びている。
他方の回動板部９１の連結板部９１ｂは、取付板部９０ａ及び第２突出体部９０ｃの下方側と一体に形成され、これらと本体部９１ａの間で延びている。
そして、それぞれの回動板部９１の回動脚部９１ｃは、下方へ突出する直方体状の部分と、この直方体状の部分の下端側において後端面（内側面）から後方側（内側）へ突出する突起部９９を備えている。
【００９８】
コネクタ基板７２は、図１７、図１８で示されるように、表面側にコネクタピン１０５が形成されており、裏面側にケーブル接続部１０６が形成された構造となっている。
また、コネクタ基板７２の適宜の部分には、位置決め突起９６を挿通するための位置決め用の貫通孔や、締結要素を挿通するための貫通孔が形成されている。これらは、いずれもコネクタ基板７２を厚さ方向に貫通する貫通孔である。
【００９９】
コネクタピン１０５は、コネクタ基板７２の表面に一体に取り付けられる台座部１０５ａと、左右方向で所定間隔を空けて並列する複数（本実施形態では３つ）の突起部１０５ｂを備えた構造となっている。突起部１０５ｂは、いずれも台座部１０５ａの前側に位置する面であり、コネクタ基板７２の表面と平行となる面から外方へ突出している。
なお、それぞれの突起部１０５ｂは、基端側に位置する円柱状の部分と、先端側に位置する丸棒状の部分を有しており、先端側の部分が基端側に比べて径が小さくなっている。そして、先端側の部分が丸みを帯びた形状となっている。
【０１００】
回動軸形成部７３は、図１５で示されるように、横倒円柱状の円柱部７３ａと、円柱部７３ａの長手方向における両端面のそれぞれから外側へ突出する軸部７３ｂを備えた構造となっている。
ここで、軸部７３ｂは、外形が略横倒円柱状となる部分であり、具体的には、突出端側の一部が横倒した円錐台状となるように一部を欠落させた円柱状となっている。そして、２つの軸部７３ｂの中心軸は、円柱部７３ａの中心軸と同一軸となっている。
【０１０１】
第１付勢部材７４は、ねじりばねの足部分を曲げ加工する等により形成される部材である。具体的には、第１付勢部材７４は、線状材料を横倒した円筒状の螺旋となるように巻いたコイル部７４ａと、コイル部７４ａを形成する線状材料の一端側から延びる第１足部７４ｂと、他端側から延びる第２足部７４ｃとを備えた構造となっている。
第１足部７４ｂは、後方へ延びた後、折り返して前方上側へ延びる部分となっている。
第２足部７４ｃは、後方へ延びた後、折り返して前方下側へ延びる部分となっている。
【０１０２】
第２付勢部材７５は、図１５で示されるように、つるまきばね状の部材であり、ケース部４０とトリガー形成片７０の間に介在し、トリガー形成片７０を常時前方へ押圧する部材となっている。
【０１０３】
続いて、給電端子部３１の組み立て構造について詳細に説明する。
【０１０４】
給電端子部３１は、上記したように、ケース部４０の収納空間４５にピン回動機構部４２を収納し、ケース部４０の前方下側にケース蓋部４１を取り付けることで形成される（図１４参照）。
【０１０５】
ピン回動機構部４２では、図１７乃至図１９で示されるように、コネクタ基板７２を一体に取り付けた基板支持片７１をトリガー形成片７０の上側に配し、基板支持片７１とトリガー形成片７０とを回動軸形成部７３を介して一体に取り付けている。このことにより、基板支持片７１とトリガー形成片７０とが互いに回動自在な状態で連結されている。
【０１０６】
このとき、コネクタ基板７２の裏面（後面）と、基板支持片７１の取付板部９０ａの前面が接触した状態で、コネクタ基板７２が取付板部９０ａと一体に固定されている。
そして、取付板部９０ａの位置決め突起９６がコネクタ基板７２に形成された貫通孔に挿通された状態となっている。また、基板支持片７１の締結要素挿通孔９７（図２２参照）と、コネクタ基板７２に形成された貫通孔が重ねられ、連通した状態で、締結要素が挿通された状態となっている。さらに、コネクタ基板７２のケーブル接続部１０６が、コネクタ配置空間９３に配された状態となっている。
【０１０７】
そして、コネクタ基板７２の下方側では、トリガー形成片７０の２つの回動板部８１の間に、基板支持片７１の２つの回動板部９１が位置しており、さらに基板支持片７１の２つの回動板部９１の間に、第１付勢部材７４のコイル部７４ａが位置している。
このとき、トリガー形成片７０の２つの回動板部８１にそれぞれ形成された２つの軸挿通孔８１ａと、基板支持片７１の２つの回動板部９１にそれぞれ形成された２つの軸挿通孔９８と、コイル部７４ａの中心孔に回動軸形成部７３が挿通された状態となっている。
【０１０８】
そして、基板支持片７１のうち、２つの回動脚部９１ｃのそれぞれの下端側部分は、それぞれ異なる段状部８５の手前側に位置している。そして、回動脚部９１ｃに形成された突起部９９（図２２参照）が段状部８５の後側に位置する壁面と接触している。
【０１０９】
さらに、図１８で示されるように、第１付勢部材７４の第１足部７４ｂの延設方向先端部分が、基板支持片７１に後方側から接触している。そして、第２足部７４ｃの延設方向先端部分が、トリガー形成片７０に後方側から接触している。
【０１１０】
具体的には、図１８で示されるように、第１足部７４ｂは、取付板部９０ａの後面（内側面）であって、第３突出体部９０ｄの基端側下方に形成される空間に先端側が配されている。そして、第２足部７４ｃは、トリガー形成片７０の本体部８０の後面（内側面）であって、トリガー片８２の後方側部分の近傍となる部分と接触している。より詳細には、隆起部８０ｂの断続部分に形成された窪み部分に先端側が配されている。
【０１１１】
そして、このピン回動機構部４２がケース部４０に収納された状態では、回動軸形成部７３の２つの軸部７３ｂ（図１５参照）が、ケース部４０の第１立壁部４０ｃ、第２立壁部４０ｄにそれぞれ形成された孔部に挿通された状態となっている。
つまり、ピン回動機構部４２のトリガー形成片７０、基板支持片７１は、ケース部４０の収納空間４５の内部において、ケース部４０に対して回動可能に取り付けられている。
【０１１２】
そして、図１５で示されるように、トリガー形成片７０と、ケース部４０の第３立壁部４０ｅの間には、第２付勢部材７５が配されている。具体的には、第２付勢部材７５の長手方向における一端側がトリガー形成片７０の付勢部材挿通孔８０ａに挿通されており、他端側が第３立壁部４０ｅと接触している。
【０１１３】
このとき、図１７、図１９で示されるように、基板支持片７１は、外力が加わらない状態において、下端側が前側へ配されると共に上端側が後方へ配された傾斜姿勢をとるものとなっている。すなわち、図２４（ａ）で示されるように、ピン回動機構部４２に対して外力が加わらない状態では、ピン回動機構部４２は、基板支持片７１が後傾姿勢をとり、トリガー形成片７０が比較的前方に位置するピン退入姿勢をとるものとなっている。
なお、ピン退入姿勢では、コネクタ基板７２もまた傾斜し、コネクタピン１０５の突起部１０５ｂは前側上方（組み立て時の外側上方）へ向かって突出し、斜め方向に延びた状態となる。
【０１１４】
そして、トリガー片８２に対して下方側へ向かって力を加えると、加えた力の分力によってトリガー形成片７０の全体が後方側へ向かって回動し、第１付勢部材７４の第２足部７４ｃもまた弾性力に抗して後方側へ移動する。すなわち、第１付勢部材７４、第２付勢部材７５の弾性力に抗して後方側へ移動する。
第２足部７４ｃが後方側へ移動すると、第１付勢部材７４の弾性力より、第１足部７４ｂが前方へ移動する。これに伴って、基板支持片７１が第１足部７４ｃｂよって前方側へ押圧され、基板支持片７１が前方側へ回動する。そして、基板支持片７１に一体に固定されたコネクタ基板７２が前方へと移動する（図２４（ｂ）参照）。
この一連の動作により、ピン回動機構部４２は、ピン退入姿勢からピン突出姿勢へと姿勢変更する。なお、ピン突出姿勢では、基板支持片７１が直立姿勢をとり、トリガー形成片７０が比較的後方に位置する姿勢となっている。すなわち、ピン突出姿勢では、トリガー形成片７０が傾斜姿勢をとるものであり、下端側が後側へ配されると共に上端側が前方へ配された状態となる。
【０１１５】
なお、ピン突出姿勢では、コネクタ基板７２は直立した姿勢となり、前面（主面）が前後方向と略直交した状態となる。このことにより、コネクタピン１０５の突起部１０５ｂは、前方へ（組み立て時の外方）へ向かって突出し、前後方向に延びた状態となる。
【０１１６】
ピン突出姿勢において、トリガー片８２に対して加わる力が解除されると、第１付勢部材７４、第２付勢部材７５によってトリガー形成片７０が前方側へ押圧され、前方側へ向かって回動する。このことにより、トリガー形成片７０の段状部８５の後側壁面が、基板支持片７１における突起部９９（回動脚部９１ｃの下端側）を前方へ押圧する。
これに伴い、基板支持片７１は、回動軸形成部７３よりも下方側に位置する部分が前方へ移動し、上方側に位置する部分が後方へと移動する。このことにより、ピン回動機構部４２は、ピン突出姿勢からピン退入姿勢へと姿勢変更する。
【０１１７】
ピン回動機構部４２が収納されたケース部４０に対し、ケース蓋部４１が取り付けられた状態では、図１４で示されるように、蓋係合突起部５０とケース掛止片部６４が係合した状態となっている。すなわち、蓋係合突起部５０と第１立壁部４０ｃの間に形成される隙間部分にケース掛止片部６４が嵌入された状態となっている。
【０１１８】
また、複数の蓋取付用凹部５１のそれぞれには、それぞれ異なる位置決め突起６３ｂが入りこんだ状態となっている。ここで、それぞれの蓋取付用凹部５１の上下方向の長さは、それぞれに入り込んだ位置決め突起６３ｂの上下方向の長さよりも長くなっている。
そして、ケース蓋部４１が取り付け位置に配された状態では、最も上側の位置決め突起６３ｂの上端部分が、最も上側の蓋取付用凹部５１の上端面に当接した状態となっている。同様に上から二番目の位置決め突起６３ｂの上側部分もまた、上から二番目の蓋取付用凹部５１の上端面に当接した状態となっている。
【０１１９】
つまり、ケース蓋部４１は、ケース部４０の前方下側（取り付け位置の近傍）に対して前方側からあてがい、且つ、それぞれの蓋取付用凹部５１にそれぞれ異なる位置決め突起６３ｂを入れ込んだ状態で、上下方向へスライド移動させることが可能となっている。このことにより、それぞれの蓋取付用凹部５１にそれぞれ異なる位置決め突起６３ｂを入れ込み、少なくとも一つの位置決め突起６３ｂの上側が蓋取付用凹部５１の上端部分に接触させるまで移動させることで、ケース蓋部４１の取り付け時に位置決めが可能となっている。
【０１２０】
また、ケース蓋部４１が取り付け位置に配された状態では、蓋側トリガー挿通孔６３ａにトリガー片８２が内側（後方側）から挿入され、トリガー片８２の先端側（前端側）部分がケース蓋部４１の前面よりも前方に位置した状態となっている。
そして、奥側立板部６５ｂの貫通孔（図１６参照）と、挿通孔形成突起５２の挿通孔（図１５参照）が連通した状態となるように重ねて配置され、これらに締結要素が挿通された状態となっている。
【０１２１】
このように、ケース部４０の内部にピン回動機構部４２が配され、ケース部４０にケース蓋部４１を取り付けることで、給電端子部３１が形成される。この給電端子部３１は、図１０で示されるように、本体板部３２の背面（内側面）に一体に取り付けられる。
【０１２２】
給電端子部３１が本体板部３２に取り付けられた状態では、本体板部３２の取付用突起部３２ｆ（図１３参照）と、ケース部４０の突起係合部４９（図１５参照）が係合した状態となっている。また、ケース部４０のそれぞれの固定片部４８の突起用孔４８ａ（図１４等参照）には、位置決め突起３２ｄ（図１３等参照）が挿通された状態となっている。そして、固定片部４８の締結用孔４８ｂ（図１４等参照）と、挿通孔形成突起３２ｅ（図１３参照）が連通した状態となるように重ねて配置され、これらに後方側（内側）から締結要素が挿通された状態となっている。
【０１２３】
このとき、トリガー挿通孔３７（図１３等参照）と、ケース部４０の蓋側トリガー挿通孔６３ａ（図１４参照）とが連通した状態となるように重ねて配置されている。このことから、図１２（ａ）で示されるように、トリガー片８２がトリガー挿通孔３７に内側（後側）から挿通された状態となっている。そして、外力が加わらない状態（上記したピン退入姿勢）では、トリガー片８２がトリガー挿通孔３７から外部に突出した状態となる。
【０１２４】
このとき、コネクタピン１０５の複数（３つ）の突起部１０５ｂ（図１７等参照）を、ピン挿通孔群３６のそれぞれの長孔に挿通した状態とする。すなわち、外力が加わらない状態において、複数の突起部１０５ｂは、それぞれ異なる長孔の内部に退入した状態となり、長孔の外側開口より内側に位置する。
【０１２５】
また、この状態では、コネクタ基板７２のケーブル接続部１０６（図１８参照）に一端側を取り付けられたケーブル（図示しない）をケーブル挿通部５７から外部へ引き出した状態とする。このとき、ケーブルの一部をケーブル掛止溝５９に引っ掛けた状態（ケーブル掛止溝５９の内側に位置させた状態）とする。さらに、必要に応じて、このケーブルの一部を結束体掛止部５８と共に結束部材によって巻かれた状態とする。このことにより、給電端子部３１から引き出されたケーブルが規定の位置に配された状態となる。
【０１２６】
以上のように、給電端子部３１が本体板部３２の背面に固定されることで、保持板部３０が形成されることとなる。
【０１２７】
支持台部２９は、図９で示されるように、支持台本体１１０と、化粧板部材１１１とを備えた構造となっている。
【０１２８】
支持台本体１１０は、側面視した形状がＬ字状で左右方向に延びた部材であり、図２５で示されるように、後端側に位置する立板部１１４と、立板部１１４の上端から前方（外側）へ突出する支持板部１１５を備えた構造となっている。
【０１２９】
立板部１１４には、自身を厚さ方向（前後方向）に貫通する取付用貫通孔１１４ａが複数（本実施形態では２つ）形成されている。そして、一方の取付用貫通孔１１４ａは、立板部１１４の長手方向における片側端部側に形成され、他方は、長手方向における他方端部側に形成されている。
【０１３０】
支持板部１１５の上面には、前端から上方突出する突起部１１５ａと、化粧板部材１１１の裏面側に位置する位置決め突起（図示しない）を挿通するための突起挿通孔１１５ｂと、化粧板部材１１１を固定するための締結要素挿通孔１１５ｃが形成されている。
突起部１１５ａは、側面視した形状が略四角形状となる直方体状の部分であり、支持台本体１１０の長手方向に沿って延びている。
突起挿通孔１１５ｂは、支持台本体１１０の長手方向における中心近傍であり、突起部１１５ａからやや離れた位置に形成された有底孔である。
締結要素挿通孔１１５ｃは、複数（本実施形態では２つ）設けられており、そのうちの一つが支持台本体１１０の長手方向における片側端部側に形成され、他の一つが支持台本体１１０の長手方向における他方側端部側に形成されている。これらはいずれも突起挿通孔１１５ｂよりも後方に形成されている。
【０１３１】
ここで、立板部１１４の前面（外側面）と支持板部１１５の下面とが連続する部分は、丸みを帯びた形状であり、滑らかに連続する湾曲面となっている。
対して、立板部１１４の後面（内側面）と支持板部１１５の上面が連続する部分には、突起収容凹部１１８が形成されている。
【０１３２】
突起収容凹部１１８は、周囲よりも前方側へ向かって窪んだ部分となっている。そして、下端側に位置して支持台本体１１０の長手方向に沿って延びる底部１１８ａと、底部１１８ａの長手方向の両端部分とそれぞれ連続する２つの側壁部１１８ｂと、底部１１８ａの前端部分と連続する前側壁部１１８ｃを備えている。
底部１１８ａは、立板部１１４の後面と直交する面であり、長手方向の両端部側にそれぞれ位置する部分が、長手方向の中心側に位置する部分よりも高位置に配されている。
側壁部１１８ｂは、立板部１１４の後面と直交する面であり、上下方向に延びている。
前側壁部１１８ｃは、底部１１８ａの前端と直交する面である。すなわち、支持板部１１５の上面、前側壁部１１８ｃ、底部１１８ａの高位置部及び低位置部は、段状に連続する部分となっている。
【０１３３】
また、前側壁部１１８ｃのうち、長手方向における中心近傍には、前方へ向かって凸となるように窪んだ有底孔である突起挿通用孔１１９が形成されている。
【０１３４】
化粧板部材１１１は、図９で示されるように、支持板部１１５の上面を覆うように取り付けられる板状の部材であり、図２６で示されるように、本体板部１１１ａと、本体板部１１ａの前端側部分に形成される突起覆い部１１１ｂとを有した構造となっている。そして、本体板部１１１ａの後端側には、嵌入部形成突起１２０と、後端側の一部であって嵌入部形成突起１２０と隣接する位置に形成される欠落部１２１が設けられている。
【０１３５】
突起覆い部１１１ｂは、立板状部分と、立板状部分の上端から上方に突出する平板状部分とを有しており、支持台本体１１０の上に取り付けた状態で、突起部１１５ａの上方と後方を覆う部分となっている。
なお、支持台本体１１０の長手方向（左右方向）における両端側のそれぞれでは、突起覆い部１１１ｂと本体板部１１１ａが連続する部分に、補強リブが形成されている。この補強リブは、突起覆い部１１１ｂの立板状部分の後面と、本体板部１１１ａの上面の双方と一体となるように形成された立板状の部分であり、その厚さ方向が左右方向と同方向となっている。
【０１３６】
嵌入部形成突起１２０と欠落部１２１は、いずれも、支持台本体１１０の上に取り付けた状態で突起収容凹部１１８の上方に位置する部分となっている。
嵌入部形成突起１２０は、複数（本実施形態では２つ）形成されており、一つが化粧板部材１１１の左右方向における片側端部よりやや中心よりの位置に形成され、他の一つが左右方向における他方側端部よりやや中心よりの位置に形成されている。そして、それぞれの嵌入部形成突起１２０は、左右方向に延びる横長板状の部分となっており、周囲の部分よりも後方へ突出するように延びた部分となっている。
なお、この嵌入部形成突起１２０の後端部分は、支持台本体１１０、本体板部１１１ａの後端部分よりも僅かに前方に位置した状態となっている。言い換えると、嵌入部形成突起１２０の後端側部分もまた一部が欠落した部分（欠落部１２１）となっている。
【０１３７】
欠落部１２１は、その一部が、一方の嵌入部形成突起１２０よりも左右方向の外側（図２６の左側）に位置している。他の一部が、他方の嵌入部形成突起１２０よりも左右方向の外側に位置している。また、これらのそれぞれと異なる他の一部が、２つの嵌入部形成突起１２０の間に位置している。
【０１３８】
以上のことから、嵌入部形成突起１２０よりも左右方向の外側に位置する欠落部１２１が、端部側突片３２ｃ（図９参照）を嵌入するための溝部となる。さらに、２つの嵌入部形成突起１２０の間に位置する欠落部１２１が、中央側突片３２ｂ（図９参照）を嵌入するための溝部となる。
これらの溝部は、いずれも前方へ向かって凸となるように切り欠かれ、平面視した形状が略四角形状となる切り欠き溝状の部分となっている。
【０１３９】
グリップ部１１は、図８、図２７で示されるように、支柱本体部１０の外部に露出する外部露出部１３０と、支柱本体部１０の内部に収納される内部収納部１３１を備えた構造となっている。
【０１４０】
外部露出部１３０は、正面視した形状が略ロ字となるように環状に連続する部分である。すなわち、上下方向で離間対向する第１平板部１４０及び第２平板部１４１と、これらの左右方向における一端部同士の間で延びる第１連結板部１４２と、他端部同士の間で延びる第２連結板部１４３を備えた構造となっている。そして、第１連結板部１４２及び第２連結板部１４３が左右方向で離間対向した状態となっている。
【０１４１】
第２平板部１４１の上面には、図２７で示されるように、ボタン露出用孔１４６が形成されており、ボタン露出用孔１４６の内側に操作ボタン１４７が位置した状態となっている。このボタン露出用孔１４６は、第２平板部１４１を厚さ方向（上下方向）に貫通し、基板収納空間１４８（図２８参照）と連通する孔となっている。
【０１４２】
内部収納部１３１は、第２平板部１４１の下側に位置する部分に形成され、第２平板部１４１の下面から下方（図２８では上方）へ突出する突起状の部分である。この内部収納部１３１には、上方（図２８では下方）に向かって窪んだ略有底孔状の窪み部１３１ａが形成されている。
【０１４３】
この内部収納部１３１は、左右方向における中央側に位置する中央側突起部１５０と、中央側突起部１５０の左右方向における片側端部と隣接する一方の側方側突起部１５１と、他方側端部と隣接する他方の側方側突起部１５１が一体となって形成される部分である。つまり、左右方向において、２つの側方側突起部１５１の間に中央側突起部１５０が位置している。
【０１４４】
中央側突起部１５０と、２つの側方側突起部１５１は、いずれも左右方向に延びる略直方体状の部分となっている。そして、中央側突起部１５０は、側方側突起部１５１よりも前後方向の長さが長くなっている。このとき、中央側突起部１５０の前端面よりも後方側に側方側突起部１５１の前端面が位置しており、中央側突起部１５０の後端面よりも前方側に側方側突起部１５１の後端面が位置した状態となっている。
【０１４５】
このとき、中央側突起部１５０と一方の側方側突起部１５１の一部に跨る部分に、窪み部１３１ａが形成される（図２７、図２９参照）。
具体的には、窪み部１３１ａは、中央側突起部１５０に形成される空間である基板収納空間１４８と、側方側突起部１５１に形成されたケーブルを配置するための空間とが一体となって形成されている。すなわち、窪み部１３１ａは、平面視が略横長形状となる基板収納空間１４８と、一方の側方側突起部１５１のうちで中央側突起部１５０よりの部分に形成された平面視が略四角形状となる空間とが連続して形成されている。
【０１４６】
そして、窪み部１３１ａのうち、中央側突起部１５０に形成された部分の内周壁には、内周壁から内側（基板収納空間１４８）へ突出する基板掛止用突起１５０ａと、基板を取り付けるための挿通孔形成突起１５０ｂとが設けられている。
【０１４７】
具体的には、中央側突起部１５０に形成される窪み部１３１ａの内周壁のうち、前後方向（図２９（ａ）では上下方向）で対向する２つの壁面のうちの一方では、左右方向における片側端部よりの部分から一方の基板掛止用突起１５０ａが突出している。そして、左右方向における他方側端部よりの部分に、一方の挿通孔形成突起１５０ｂが形成されている。
対して、２つの壁面のうちの他方では、左右方向における片側端部よりの部分に、他方の挿通孔形成突起１５０ｂが形成されている。また、他方側端部よりの部分から他方の基板掛止用突起１５０ａが突出している。
したがって、一方の基板掛止用突起１５０ａと他方の挿通孔形成突起１５０ｂ、一方の挿通孔形成突起１５０ｂと他方の基板掛止用突起１５０ａがそれぞれ前後方向で離れた位置に形成されている。
【０１４８】
基板掛止用突起１５０ａは、窪み部１３１ａを形成する内周壁の上端から下端までの間で延びる薄板状の突起であり、その厚さ方向が左右方向と同方向であって、その先端部分が内側（基板収納空間１４８）へ向かって丸みを帯びて凸となる形状となっている。
また、基板掛止用突起１５０ａの基端側部分において、基板掛止用突起１５０ａの両側面（厚さ方向における両端面）のそれぞれと周囲の内周壁とが連続する部分は、丸みを帯びた形状であり、滑らかに連続する湾曲面となっている。
【０１４９】
挿通孔形成突起１５０ｂは、窪み部１３１ａを形成する内周壁の上端側部分（図２９（ｂ）では下端側部分）と連続する部分であり、内側（基板収納空間１４８）へ向かって突出した状態となっている。
すなわち、挿通孔形成突起１５０ｂの上下方向の長さは、窪み部１３１ａの内周壁の上下方向の長さよりも短く、その下端面が内周壁の下端よりも上方に位置した状態となっている（図２９（ｂ）では、上端面が内周壁の上端よりも下方に位置した状態）。
この挿通孔形成突起１５０ｂには、下端面（図２９（ｂ）では上端面）に開口を有し上方（図２９（ｂ）では下方）へ向かって窪んだ有底孔が形成されている。
【０１５０】
ベース部１２は、図３０、図３１で示されるように、基台箱部１６０に各種部材を収納して形成される部分であり、上面側（表面側）に受信部１６１と、下面側（裏面側）にケーブル収納部１６２を備えた構造となっている。
そして、図３２で示されるように、筒状補強部１６３と、複数（本実施形態では２つ）の重量体１６４と、制御基板１６５と、収納用箱状部１６６とを備えた構造となっている。
【０１５１】
基台箱部１６０は、図３０で示されるように、上部が解放された有底箱状の箱部本体１６０ａと、箱部本体１６０ａの上方に取り付け可能な蓋部材１６０ｂとを備えた構造となっている。
【０１５２】
箱部本体１６０ａの裏面側には、収納用箱状部１６６の一部を露出させるための欠落部１７０が形成されている。この欠落部１７０は、箱部本体１６０ａの側壁部分の一部と底板部分の一部を欠落して形成される部分であり、それぞれの部分を厚さ方向に貫通している。そして、平面視において、側壁部分から内側へ向かって細長く延びる部分と、略四角形状に広がる部分とを備えた構造となっている。
また、箱部本体１６０ａの裏面側には、底板の適宜の部分に滑り止め部材が取り付けられている。なお、この滑り止め部材は、ゴム等の弾性材料で形成された略円盤状の部材となっている。
【０１５３】
蓋部材１６０ｂは、平面視が四角形状となる板状の蓋本体１７１と、蓋本体１７１の縁端部分から下方へと垂下される環状壁部１７２とが一体に形成される部材である。
蓋本体１７１には、受信部１６１を形成するための窓部用貫通孔１７３と、上記した支柱本体部１０（図２等参照）、筒状補強部１６３の一部を挿通するための支柱用貫通孔１７４とが形成されている。これらはいずれも蓋本体１７１を厚さ方向（上下方向）に貫通する貫通孔となっている。
【０１５４】
具体的には、窓部用貫通孔１７３は、平面視した形状が四角形状となる貫通孔であり、前端よりの位置であって、左右方向における中心側近傍に位置するように形成されている。
また、支柱用貫通孔１７４は、前後方向における中心側近傍であって左右方向における中心近傍となる位置に形成されており、開口形状が左右方向に延びる横長の四角形状となる貫通孔となっている。
【０１５５】
受信部１６１は、窓部用貫通孔１７３に透光性を有するソフトカバーを取り付け、その内側に受信用基板（受信機器）を配して形成される部分となっている。
この受信部１６１は、リモコン、携帯電話、タブレットＰＣ等の外部操作機器と電波で無線通信可能な無線通信機能を備えており、詳細には、外部操作機器からの電波を受信可能となっている。
なお、無線通信については、特に限定されるものではないが、Ｂｌｕｅｔｏｏｔｈ（登録商標）による通信が好適に採用可能となっている。また、外部操作機器は、上記した持ち運び可能な装置に限らず、室内の壁面等と一体に形成されるスイッチ装置であってもよい。
【０１５６】
ケーブル収納部１６２は、収納用箱状部１６６の裏面側の一部分を欠落部１７０から露出させて形成する部分であり、図３１で示されるように、外側から内側に向かって延びる単線配置溝１６２ａと、単線配置溝１６２ａと連続するケーブル収納空間１６２ｂとを備えた構造となっている。
【０１５７】
単線配置溝１６２ａは、外部電源と電気的に接続される電源ケーブルを直線状に延ばして配置するための部分であり、その幅方向の長さが、電源ケーブルの径方向の長さと略同一となる部分である。この単線配置溝１６２ａは、下方が開放され上方に向かって窪んだ溝（図３１では、上方が開放され下方に向かって窪んだ溝）であり、直線状に延びている。
【０１５８】
ケーブル収納空間１６２ｂは、電源ケーブルの一部を巻いた状態や纏めた状態で配置するための空間であり、下方（図３１では上方）が開放され、前後方向及び左右方向の長さが略同一となる略直方体状の空間となっている。
このケーブル収納空間１６２ｂは、４つの側壁部分と、上方（図３１では下方）に位置する平面によって周囲を囲まれている。４つの側壁部分の一つは、一部が欠落して単線配置溝１６２ａと連通する部分が形成され、他の一つの側壁部分には、ケーブルの端部を接続するためのコネクタ部が形成されている。
なお、上方（図３１では下方）に位置する平面には、ケーブル巻回部１７６が形成されている。ケーブル巻回部１７６は、ケーブル収納空間１６２ｂ側に向かって突出する複数（本実施形態では２つ）の突起状の部分によって形成されており、この複数の突起状の部分が所定間隔を空けて並列配置されて形成される部分である。
【０１５９】
筒状補強部１６３は、図３３で示されるように、外形が略角筒状で上下方向に延びる筒状本体部１８０と、筒状本体部１８０の下端側に位置する第１取付片部１８１、第２取付片部１８２を備えた構造となっている。
【０１６０】
より具体的に、筒状本体部１８０は、前後方向で離間対向する２つの第１周壁部１８５と、左右方向で離間対向する２つの第２周壁部１８６とが環状に連続して形成されている。このとき、２つの第１周壁部１８５は、幅方向（左右方向）の長さが比較的長く（外側面及び内側面の面積が比較的大きく）なっており、２つの第２周壁部１８６は、幅方向（前後方向）の長さが比較的短くなっている。
そして、２つの第１周壁部１８５のそれぞれの下端側部分には、第１取付片部１８１が一体に形成されており、２つの第２周壁部１８６のそれぞれの下端側部分には、第２取付片部１８２が一体に形成されている。
【０１６１】
第１周壁部１８５の下端側部分（箱部本体１６０ａの底板側）は、一部が切り欠かれた状態となっており、詳細には、幅方向（左右方向）における両端側のそれぞれに位置する部分と、中心側近傍の部分が欠落した状態となっている。
ここで、離間対向する２つの第１周壁部１８５は、いずれも下端側であって、中心側近傍の部分が欠落している。そして、この２つの欠落部分は、正面視で重なる位置に形成されている。このことから、この対となる２つの欠落部分（貫通孔）によって、筒状本体部１８０を前後方向に貫通するケーブル挿通孔１８７が形成されることとなる。
【０１６２】
ケーブル挿通孔１８７は、筒状本体部１８０を水平方向における一方向（前後方向）に貫通している。すなわち、筒状本体部１８０の内部空間と一方の第１周壁部１８５の外側に位置する空間とを連通し、且つ、筒状本体部１８０の内部空間と他方の第１周壁部１８５の外側に位置する空間とを連通している。
【０１６３】
第１取付片部１８１は、平面視した形状が略凹字状であり、厚さ方向が上下方向となる板状部分となっている。すなわち、第１周壁部１８５の下端側部分のうち、左右方向で離れた位置のそれぞれから前後方向外側へ突出しており、基端側において、左右方向の中心近傍となる部分が欠落している。
なお、この第１取付片部１８１には、適宜の部分に締結要素を挿通するため貫通孔が形成されており、これらは第１取付片部１８１を厚さ方向に貫通する開口形状が円形の貫通孔となっている。
【０１６４】
ここで、第２周壁部１８６の下端側部分では、幅方向（前後方向）の両端側が欠落した状態となっている。
【０１６５】
第２取付片部１８２は、段状に連続する板状部分となっている。すなわち、第２周壁部１８６の下端から左右方向外側へ突出する平板状の部分と、この平板状の部分の突出端側から下方へ突出する立板状の部分と、この立板状の部分の下端からさらに左右方向外側へ突出する平板状の部分とを備えた構造となっている。
なお、この第２取付片部１８２には、高位置に配される平板状の部分と、低位置に配される平板状の部分のそれぞれに、締結要素を挿通するための貫通孔が形成されている。これらは、開口形状が円形であってそれぞれの部分を厚さ方向に貫通する貫通孔となっている。
【０１６６】
なお、この筒状補強部１６３は二部材によって形成される部材であり、図３４で示されるように、２つの補強部形成片１６３ａを一体に連結して形成されている。
それぞれの補強部形成片１６３ａは、上側に位置する本体部分が平面視形状が略コ字状で上下方向に延びる板状体となっており、第１周壁部１８５を形成する部分と、一方の第２周壁部１８６の一部を形成する部分と、他方の第２周壁部１８６の一部を形成する部分とが一体となっている。
【０１６７】
すなわち、上記した第２周壁部１８６は、２つの板状体が左右方向で重なって形成される部分となっている。したがって、それぞれの補強部形成片１６３ａにおいて、上記した第２周壁部１８６の一部を形成する部分は、外側に配される板状部分である周壁外側板部１８６ａと、内側に配される板状部分である周壁内側板部１８６ｂのいずれかとなる。
【０１６８】
周壁外側板部１８６ａは、上側に位置する板状体と、下側に位置する第２取付片部１８２とが一体となって形成されている。上側の板状体は、上下方向に延び、厚さ方向が左右方向となる板状体となっている。そして、板状体には、締結要素を挿通するための貫通孔と、周壁内側板部１８６ｂに形成された突起を挿通するための貫通孔とが形成されている。なお、突起を挿通するための貫通孔は、複数形成され、上下方向で所定の間隔を空けて並列しており、少なくとも一つの開口形状が縦長長方形状であり、他の少なくとも一つの開口形状が横長長方形状である。
【０１６９】
対して、周壁内側板部１８６ｂは、上下方向に延び、厚さ方向が左右方向となる板状体となっている。周壁内側板部１８６ｂには、適宜の部分に締結要素を挿通するための貫通孔と、外部へ突出する突起が形成されている。
周壁内側板部１８６ｂに形成された貫通孔は、組み立て時に、外側に位置する周壁外側板部１８６ａに形成された貫通孔と一連の貫通孔を形成するものであり、開口形状が円形の貫通孔となっている。
突起は、周壁内側板部１８６ｂの外側面に形成され、可撓性を有するものとなっている。
【０１７０】
補強部形成片１６３ａでは、周壁内側板部１８６ｂの幅方向（前後方向）の一端側が、第１周壁部１８５を形成する部分と連続している。そして、周壁内側板部１８６ｂの自由端となる他端側が、同じ補強部形成片１６３ａに形成された周壁外側板部１８６ａ側へ屈曲した状態となっている。すなわち、周壁内側板部１８６ｂは、平面視がＬ字状となるように屈曲した板状体であり、言い換えると、第１周壁部１８５を形成する部分と連続する立板本体部と、この立板本体部と略直交する屈曲片部とを備えた形状となっている。
【０１７１】
また、この周壁内側板部１８６ｂに形成された突起の少なくとも一つは、上下方向の中心側が最も突出し、上方又は下方へ向かうにつれて突出長さが短くなる形状の突起となっている。
対して、他の少なくとも一つの突起は、周壁内側板部１８６ｂの幅方向（前後方向）の中心側が最も突出し、幅方向の一端側又は他端側へ向かうにつれて突出長さが短くなる形状の突起となっている。
すなわち、これらは、山なり形状の突起となっている。
【０１７２】
重量体１６４は、支柱部２が直立姿勢を維持するための重り部材として機能する部分であり、図３５で示されるように、複数枚の同形の重り板１６４ａを重ね合わせて構成されている。
重り板１６４ａは、平板状の部材であり、その平面視形状は、一部を欠落させた略長方形状となっている。なお、重り板１６４ａの平面視における長手方向（前後方向）の長さは、図３２で示されるように、箱部本体１６０ａ（基台箱部１６０）の長手方向（前後方向）の長さより僅かに短いものとなっている。
【０１７３】
重り板１６４ａには、縁端部分であって長辺の中央近傍に位置する部分を欠落させた切欠部と、それぞれ重り板１６４ａを厚さ方向（上下方向）に貫通する複数の貫通孔が形成されている。なお、貫通孔として、開口形状が四角形状の孔と、開口形状が円形の孔が形成されている。そして、開口形状が円形の孔の一つが、少なくとも他の一つと開口径が異なっている。
【０１７４】
これらの切欠部や貫通孔は、重り板１６４ａを複数枚重ね合わせた際、他の重量体１６４に形成された切欠部や貫通孔と重なった状態となる。すなわち、重量体１６４では、それぞれの重り板１６４ａに形成された切欠部や貫通孔が重なった状態となり、一連の切欠部分や一連の貫通孔を形成する。
これら一連の欠落部や、一連の貫通孔は、箱部本体１６０ａ内に収納したとき、締結要素や他部材を配置するための空間（他部材配置部）として機能する。
【０１７５】
制御基板１６５は、調光動作等の照明装置１における各種動作を制御するための基板であり、集積回路、各種配線を接続するためのコネクタ等を備え、外部機器へ各種信号を発信可能なものとなっている。
また、この制御基板１６５は、電源側基板１９７（詳しくは後述する、図３６等参照）とケーブルを介して電気的に接続されている。また、この制御基板１６５は、プリント基板２０２（詳しくは後述する）とケーブルを介して電気的に接続されている。
なお、この制御基板１６５の上側には、上述した受信用基板（図示しない）が配された状態となっている。
【０１７６】
収納用箱状部１６６は、図３６で示されるように、箱本体部１９０、溝形成部１９１、基板固定部１９２を備えた構造となっている。
なお、箱本体部１９０の裏面側（下側）は、上記したケーブル収納空間１６２ｂを形成する部分であり、溝形成部１９１の裏面側は上記した単線配置溝１６２ａを形成する部分となっている。これらの裏面側の構造については、上記したケーブル収納部１６２の説明と重複するため、詳細な説明を省略する。
【０１７７】
箱本体部１９０は、平面視形状が略四角形状であって下面が開放された有底箱状の部分である。そして、４つの側壁部分のうち、外面のそれぞれから当該面と直交する方向であって外側へ突出する取付片部１９０ａを備えた構造となっている。
取付片部１９０ａは、いずれも厚さ方向が上下方向となるように形成された平板状の部分であり、突出端側が丸みを帯びた形状となっている。そして、それぞれの取付片部１９０ａには、締結要素を挿通するための貫通孔が形成されている。なお、この貫通孔は、取付片部１９０ａを厚さ方向に貫通する孔となっている。
【０１７８】
溝形成部１９１は、箱本体部１９０の一の側壁部分における外面の下方側から、当該外面と直交する方向であって外側へ突出する部分となっている。そして、平面視した形状が突出方向に延びた略四角形状の部分となっている。溝形成部１９１の上面のうち、突出方向の先端側となる部分に姿勢支持片１９１ａが形成されている。
姿勢支持片１９１ａは、複数（本実施形態では２つ）形成されており、いずれも側面視した（溝形成部１９１の幅方向外側からみた）形状が縦長四角形状となる立板状の部分であって、上方へ突出するように形成されている。また、いずれの姿勢支持片１９１ａも左右方向（溝形成部１９１の幅方向）が厚さ方向となっている。さらに、この複数（２つ）の姿勢支持片１９１ａは、左右方向で所定間隔を空けて並列した状態となっている。
なお、この複数（２つ）の姿勢支持片１９１ａは、基台箱部１６０に収納されたとき、それぞれの上端部分が蓋部材１６０ｂ（蓋本体１７１）の下面と接触するものとなっている。すなわち、複数の姿勢支持片１９１ａが溝形成部１９１の姿勢を保持するための姿勢保持部として機能する。
【０１７９】
基板固定部１９２は、図３７で示されるように、箱本体部１９０の側壁部分のうち、溝形成部１９１と一体となる側壁部分とは異なる側壁部分に形成されている。この基板固定部１９２は、固定部本体板１９３、固定孔形成突起１９４、ジャック支持突起１９５を備えた構造となっている。
【０１８０】
固定部本体板１９３は、平面視した形状が略四角形状であり、厚さ方向が上下方向となる平板状の部分であって、箱本体部１９０の側壁部分の上端側から外側へ突出している。
この固定部本体板１９３は、適宜の部分に貫通孔が形成された構造となっている。この貫通孔は、固定部本体板１９３を厚さ方向（上下方向）に貫通し、開口形状が四角形状又は略Ｔ字状となっている。そして、この貫通孔は、窓部として機能するものであり、収納用箱状部１６６を上側からみたとき、下方側に位置する基板や機器を目視可能となっている。
【０１８１】
固定孔形成突起１９４は、固定部本体板１９３と一体に形成される部分であり、固定部本体板１９３の突出端部分のさらに外側に形成されている。より詳細には、突出端部分の一部であって、後端よりとなる部分の外側に一体に形成されている。
この固定孔形成突起１９４は、正面視において、上方に位置する四角形状の部分と下方に位置する半円状の部分とを組み合わせた形状となっている。
ここで、固定孔形成突起１９４は、その大部分が固定部本体板１９３の下端よりも下方に位置した状態となっている。言い換えると、固定孔形成突起１９４の大部分は、固定部本体板１９３の下端と同じ高さとなる位置から下方へ突出している。なお、この固定孔形成突起１９４は、下端部分が下方へ向かって丸みを帯びて凸となる形状であり、前後方向に沿って延びている。
この固定孔形成突起１９４には、固定孔形成突起１９４を前後方向に貫通する孔であり、締結要素を挿通するための孔が形成されている。
【０１８２】
ジャック支持突起１９５は、箱本体部１９０の側面から外側へ突出する平板状の支持突起基端部１９５ａと、支持突起基端部１９５ａの突出端側に一体に形成される立板状の支持突起先端部１９５ｂとを備えた形状となっている。
【０１８３】
ここで、固定部本体板１９３とジャック支持突起１９５が形成された箱本体部１９０の側面には、ケーブル収納空間１６２ｂ（図３０等参照）と外部を連通するための挿通用孔１９６が形成されている。この挿通用孔１９６は、開口形状が四角形状となる貫通孔であり、箱本体部１９０の側面壁を厚さ方向（左右方向）に貫通する孔となっている。
【０１８４】
そして、この挿通用孔１９６は、固定部本体板１９３とジャック支持突起１９５の間に位置するように形成されている。すなわち、この挿通用孔１９６の外側開口における上縁の上側に隣接する位置に固定部本体板１９３の下面が位置し、下縁の下側に隣接する位置にジャック支持突起１９５の支持突起基端部１９５ａが位置している。
【０１８５】
このことから、基板固定部１９２には、図３６で示されるように、パワージャックとケーブル接続用のコネクタを有する電源側基板１９７を取り付けることが可能となっている。なお、パワージャックは、上記した電源ケーブル（外部電源と電気的に接続されたケーブル）の端子を接続可能な部分であり、ケーブル接続用のコネクタは、上記した制御基板１６５との間で延びるケーブルの一端側の端子を接続可能な部分となっている。
【０１８６】
この電源側基板１９７は、パワージャックがジャック支持突起１９５（図３７参照）の上側に位置し、パワージャックの一部が挿通用孔１９６（図３７参照）に挿通された状態で取り付けられる。このとき、板状である電源側基板１９７の本体部分は、直立した姿勢となっており、その厚さ方向が前後方向と同方向となっている。つまり、電源側基板１９７の本体部分の厚さ方向は、基板固定部１９２が形成される箱本体部１９０の側壁部分の厚さ方向と直交する方向となっている。
【０１８７】
また、このとき電源側基板１９７の本体部分に形成された貫通孔（図示しない）と、固定孔形成突起１９４に形成された貫通孔（図３７参照）とが重ねて配置されて一体の連通孔を形成しており、この連通孔に締結要素が挿通された状態となっている。
【０１８８】
続いて、支柱部２の組み立て構造について、図面を参照しつつ詳細に説明する。
【０１８９】
まず、図３８、図３９で示されるように、グリップ部１１にボタン付基板２００を一体に取り付ける。このとき、ボタン付基板２００の切り欠き部分に基板掛止用突起１５０ａを嵌め入れた状態とし、窪み部１３１ａの奥側へスライド移動させ、ボタン付基板２００の操作ボタン１４７をボタン露出用孔１４６の内側に挿通した状態とする。
そして、ボタン付基板２００に形成された取付用の貫通孔と、挿通孔形成突起１５０ｂ（図２９参照）の貫通孔とを重ね合わせ、締結要素を挿通する。
そして、窪み部１３１ａのうち、中央側突起部１５０の内側部分にボタン付基板２００を収納し、側方側突起部１５１の内側部分にボタン付基板２００から延設されるケーブルの基端側部分を収納した状態とする。
【０１９０】
さらに、図４０で示されるように、支柱部形成片１０ａに対してプリント基板２０２を取り付ける。なお、プリント基板２０２は、２つの支柱部形成片１０ａのそれぞれに対して取り付けるが、一方の支柱部形成片１０ａへの取り付けのみ説明し、同様の手順となる他方の支柱部形成片１０ａへの取り付けの説明を省略する。
このとき、プリント基板２０２の一部を補強突条部２１と基板取付用突条部２２の間に配し、基板取付用突条部２２の内側面（補強突条部２１と対向する面）に接触した状態とする。そして、基板取付用突条部２２とプリント基板２０２それぞれの取付用の孔を重ね合わせ、締結要素を挿通し、基板取付用突条部２２にプリント基板２０２を取り付ける。
なお、第１周壁形成板部１４が位置する方向（図４０では奥側）から締結要素を挿通する場合、機構挿通用孔１８ｂを取付作業用の孔として機能させてもよい。すなわち、ドライバー等の取付器具の一部を機構挿通用孔１８ｂに挿通させつつ、作業を行ってもよい。
【０１９１】
さらに詳細には、基板取付用突条部２２の上側に上側のプリント基板２０２を取り付け、下方側に下側のプリント基板２０２を取り付ける。そして、上下方向で並列する２つのプリント基板２０２をケーブルにより電気的に接続させた状態とする。
さらに、下側のプリント基板２０２に対し、上記したベース部１２の制御基板１６５（図３２参照）と接続するためのケーブルを接続する。
【０１９２】
このとき、下側のプリント基板２０２に接続され、ベース部１２へ向かって延びるケーブルは、その一部が帯状の結束部材により、結束体取付部２２ａの薄肉部２２ｃと共に巻き付けられた状態となっている。このことにより、ケーブルの一部が結束体取付部２２ａと近接する位置によせられた状態となり、ケーブルが第２周壁形成板部１６よりの規定の位置に配される。このことにより、ケーブルが他のケーブルと絡まってしまうことや、ケーブルが他部材の配置予定位置に位置してしまうことを防止できる。
【０１９３】
続いて、図４１で示されるように、グリップ部１１を介して２つの支柱部形成片１０ａを一体に固定する。
すなわち、一方の支柱部形成片１０ａ（第１周壁形成板部１４）の内側面と、グリップ部１１の中央側突起部１５０の外側面を接触した状態とする。このとき、支柱部形成片１０ａのグリップ取付用孔１９と、中央側突起部１５０の外側面に形成された取り付け用の有底孔を重ねて配置し、これらに締結要素を挿通して一体に固定する。なお、この状態では、一方の側方側突起部１５１の左右方向における外側端面と、支柱部形成片１０ａ（第２周壁形成板部１６）の内側面とが接触した状態となる。
このとき、グリップ部１１の窪み部１３１ａから引き出されたケーブルを、一方の支柱部形成片１０ａに取り付けられた上側のプリント基板２０２に接続した状態とする。このことにより、ボタン付基板２００とプリント基板２０２とが電気的に接続された状態となる。
【０１９４】
さらに、グリップ部１１に他方の支柱部形成片１０ａを固定する。このとき、一方の支柱部形成片１０ａに形成された係合突条部２４（図４等参照）を、他方の支柱部形成片１０ａに形成された係合凹部２２ｄに挿通した状態とする。さらに他方の支柱部形成片１０ａに形成された係合突条部２４（図４等参照）を、一方の支柱部形成片１０ａに形成された係合凹部２２ｄに挿通した状態とする。このことにより、２つの支柱部形成片１０ａが一体の角筒状となり、左右方向に位置ずれしない状態となる。
【０１９５】
そして、他方の支柱部形成片１０ａの内側面と中央側突起部１５０の外側面を接触させた状態とし、上記と同様に、これらに締結要素を挿通して一体に固定する。
【０１９６】
このことにより、支柱本体部１０が形成され、グリップ部１１の外部露出部１３０が支柱本体部１０の長手方向の一端（上端）と隣接位置に配され、且つ、内部収納部１３１が支柱本体部１０の内部に収納された状態となる。
言い換えると、２つの第１周壁形成板部１４、１５と、２つの第２周壁形成板部１６、１７によって囲まれた空間にグリップ部１１の内部収納部１３１が配された状態となっている。
【０１９７】
このことから、図４２で示されるように、支柱本体部１０に形成されたそれぞれの機構挿通用孔１８ｂの奥側に、プリント基板２０２が位置した状態となる。
より詳細には、それぞれの機構挿通用孔１８ｂの奥側に、少なくとも一方（一つ又は二つ）のプリント基板２０２の一部が位置した状態となる。
【０１９８】
続いて、図９等で示されるように、支柱本体部１０に形成される複数の取付領域１８のそれぞれに、略直方体状の永久磁石である保持用磁石２０５と、モジュール保持部２７を取り付ける。
なお、一つの取付領域１８に対する取り付けについてのみ説明し、同様となる他の取付領域１８に対する取り付けの説明を省略する。
【０１９９】
取り付けの際、保持用磁石２０５を磁石取付用孔１８ａに挿入し、保持用磁石２０５が略丁度嵌り込んだ状態とする。そして、主保持部２８を支柱本体部１０の壁面に固定した状態とする
【０２００】
このとき、給電端子部３１（図１０参照）を機構挿通用孔１８ｂに挿入する。このとき、給電端子部３１の内部から延設されたケーブルを、機構挿通用孔１８ｂの内側に位置するプリント基板２０２（図４２参照）に接続した状態とする。このことより、給電端子部３１のコネクタ基板７２（図１７参照）とプリント基板２０２が電気的に接続された状態となる。
【０２０１】
また、本体板部３２の位置決め突起３８（図１３参照）を突起挿通用孔１８ｃに挿通した状態とする。そして、本体板部３２に形成された取り付け用の孔と、取付領域１８の上側に位置する保持部固定用孔１８ｄとを重ね合わせ、これらに締結要素を挿通した状態とする。
そして、保持用磁石２０５の外側部分が磁石露出部３４に嵌め込まれた状態とする。このとき、保持用磁石２０５の外側面と、その周囲に位置する本体板部３２の面とが同一平面を形成した状態とする。
【０２０２】
さらに、支持台部２９を支柱本体部１０の壁面に固定した状態とする。
ここで、予め支持台本体１１０に化粧板部材１１１を固定し、支持台部２９を形成しておく。具体的には、図２６で示されるように、支持台本体１１０の上に化粧板部材１１１を載置し、化粧板部材１１１の裏面側の突起（図示しない）を支持台本体１１０の突起挿通孔１１５ｂ（図２５参照）に挿通した状態とする。そして、化粧板部材１１１の取り付け用の孔と、締結要素挿通孔１１５ｃ（図２５参照）を重ねて配置し、これらに締結要素を挿通して一体に固定する。
【０２０３】
そして、支持台部２９の取付用貫通孔１１４ａ（図２６参照）と、取付領域１８の下方側に位置する保持部固定用孔１８ｄ（図９参照）とを重ね合わせ、これらに締結要素を挿通することで、支持台部２９が支柱本体部１０の壁面に固定される。
ところで、これらを重ね合わせる際、保持板部３０の外側面に位置する位置決め突起３８が、支持台部２９の突起挿通用孔１１９（図２６参照）に挿入された状態とする。さらに、保持板部３０の端部側突片３２ｃが、支持台部２９の欠落部１２１（図２６参照）のうち左右方向の端部側に位置する部分に嵌り込んだ状態とする。さらに、保持板部３０の中央側突片３２ｂが支持台部２９の欠落部１２１のうち左右方向の中央側に位置する部分に嵌り込んだ状態とする。このことにより、支持台部２９が主保持部２８に左右方向及び前後方向に位置ずれしない状態で取り付け作業が可能となる。
【０２０４】
続いて、支柱本体部１０に対してベース部１２を取り付ける。
まず、図４３で示されるように、蓋部材１６０ｂに対して収納用箱状部１６６を取り付けた状態において、蓋部材１６０ｂの内側面側（図４３では上面）から、筒状補強部１６３の筒状本体部１８０を支柱用貫通孔１７４に挿通する。そして、蓋部材１６０ｂの外側面側（図４３では下面）から、支柱本体部１０の下側部分（図４３では上側部分）を支柱用貫通孔１７４に挿入する。
【０２０５】
このとき、筒状本体部１８０と支柱本体部１０が内外で重なった状態となる。すなわち、２つの第１周壁形成板部１４、１５と、２つの第２周壁形成板部１６、１７によって囲まれた空間（支柱内空間２０７）に筒状本体部１８０が収納された状態となっている。
そして、筒状本体部１８０の２つの第１周壁部１８５の外側面と、第１周壁形成板部１４、１５の内側面が接触した状態となっている。すなわち、２つの第１周壁形成板部１４、１５に、内側から板状の部分が添え当てられた状態となっている。
【０２０６】
なお、筒状本体部１８０の２つの第２周壁部１８６の外側面は、それぞれ異なる支柱部形成片１０ａに形成された補強突条部２１、基板取付用突条部２２に内側から接触した状態となっている。
【０２０７】
さらにこのとき、支柱本体部１０の下端側に形成された２つの欠落部２０と、筒状補強部１６３に形成されたケーブル挿通孔１８７とが前後方向で（正面視で）重なる位置に配される。このことから、２つの欠落部２０とケーブル挿通孔１８７とが前後方向に延びる一連の孔状部分を形成する。つまり、筒状本体部１８０と支柱本体部１０が内外で重なって形成される筒状部分を前後方向に貫通する孔が形成され、前方と後方のそれぞれの部分で筒状部分の内側空間と外部空間を連通する。この孔は、ケーブルを挿通するための挿通孔として機能する。
【０２０８】
つまり、図４４で示されるように、この筒状部分に形成される孔に対し、収納用箱状部１６６に固定された電源側基板１９７（図３６参照）から延びるケーブルを挿通し、このケーブルが筒状本体部１８０及び支柱本体部１０の後方側（収納用箱状部１６６）から前方側へ延びた状態とする。すなわち、ケーブルの一部が、筒状本体部１８０と支柱本体部１０が内外で重なって形成される筒状部分の内部空間を通過して延びた状態とする。
【０２０９】
このとき、下側のプリント基板２０２から延びるケーブル（図４０参照）もまた、筒状部分の内部空間から、筒状部分の前方側に形成される孔を介し、前方へ引き出した状態とする。すなわち、一方の支柱部形成片１０ａに固定された下側のプリント基板２０２から延びるケーブルと、他方の支柱部形成片１０ａに固定された下側のプリント基板２０２から延びるケーブルとを前方へ引き出した状態とする。
つまり、電源側基板１９７から延びるケーブルと、２つのプリント基板２０２のそれぞれから延びる２つのケーブルからなる３つのケーブルが筒状本体部１８０及び支柱本体部１０の前方側へ引き出された状態とする。
【０２１０】
そして、図４５で示されるように、制御基板１６５を取り付け、筒状本体部１８０及び支柱本体部１０の前方側へ引き出された３つのケーブルをこの制御基板１６５に接続する。このことにより、制御基板１６５、筒状本体部１８０及び支柱本体部１０、収納用箱状部１６６が前後方向で所定間隔を空けて並列した状態となる。
【０２１１】
さらに、図４５で示されるように、蓋部材１６０ｂの左右方向における一端側よりの部分に一方の重量体１６４を配し、他端側よりの部分に他方の重量体１６４を配した状態とする。そして、図４６で示されるように、蓋部材１６０ｂと箱部本体１６０ａを一体に固定する。さらに、窓部用貫通孔１７３（図３０参照）に透光性を有するソフトカバーを取り付け、ベース部１２の組み立てと、ベース部１２の支柱本体部１０への取り付けが完了する。
【０２１２】
続いて、面発光モジュール３について説明する。
なお、この面発光モジュール３の説明では、図４７の手前側を前方とし、上下方向及び前後方向と直交する方向を左右方向として説明する。
【０２１３】
面発光モジュール３は、図４７で示されるように、側面視した形状が略Ｌ字状となっており、略直方体状の基台部２３０（支持部）と、基台部２３０の上面における後端側部分から上方に突出する発光面形成部２３１（フレーム部）を備えた構造となっている。
【０２１４】
基台部２３０には、その上面の前方側に操作ボタン２３６、パワーランプ２３７が形成され、前端面にＵＳＢ接続口２３８が形成されている。さらに、図４８で示されるように、下面に給電部２３９が形成されている。
【０２１５】
発光面形成部２３１は、直立姿勢となる厚板状の部分である。なお、その厚さ（前後方向の長さ）は、基台部２３０の厚さ（上下方向の長さ）よりも薄くなっている。
また、発光面形成部２３１では、その前面側に、発光パネル２５４（面発光パネル）の一部（発光領域２７６ａであり、詳しくは後述する）が露出する発光面２４１が形成されている。すなわち、一方の主面である前面側に発光面２４１が形成され、他方の主面である背面（裏面）側が非発光面となっている。
より詳細には、発光面形成部２３１の一方の主面は、発光面２４１と、自ら光を発しない面とを備えた構造となっている。そして、自ら光を発しない面は、正面視が四角環状となるように発光面２４１の周辺を囲んでおり、発光面２４１の一辺と隣接する部分が基台部２３０へ向かって延びている。
すなわち、発光面形成部２３１の一方の主面は、基台部２３０の上面（発光面形成部２３１側の面）と連続している。
【０２１６】
ここで、発光面形成部２３１と基台部２３０が連続する部分のうち、前面側に位置する部分は、丸みを帯びた形状であり、滑らかに連続する湾曲面となっている。言い換えると、基台部２３０のうちで操作ボタン２３６、パワーランプ２３７が形成されている面と、発光面形成部２３１のうちで発光面２４１が形成されている面とは、湾曲面を介して連続している。
【０２１７】
操作ボタン２３６は、発光面２４１が発光している発光状態と、発光していない非発光状態とを切り替える電源ボタンとしての機能と、発光状体において明るさ（光量）を増減させる調光ボタンとしての機能を兼ねるものとなっている。
すなわち、面発光モジュール３が非発光状態時に操作ボタン２３６を押圧することで発光状態へと移行し、そのまま操作ボタン２３６を押圧する毎に明るさ（光量）が増加（又は減少）していく。そして、発光状態において所定の明るさで発光している際に操作ボタン２３６を押圧することで、発光状態から非発光状態へと移行する。
【０２１８】
パワーランプ２３７は、発光状態において点灯し、非発光状態において消灯するランプとなっている。
【０２１９】
ＵＳＢ接続口２３８は、マイクロＵＳＢ（詳細にはＢタイプ）のメス側コネクタであり、携帯電話やタブレット端末等の外部機器とケーブルを介して接続することで、外部機器に給電を行うことが可能となっている。
すなわち、本実施形態の面発光モジュール３は、外部電源から電力の供給を受けない状態で発光が可能であり（詳しくは後述する）、発光状態のまま外部機器への給電が可能となっている。つまり、このＵＳＢ接続口２３８は、外部機器へ給電するための給電部（給電口であり、接続口）として機能する。
【０２２０】
続いて、面発光モジュール３の内部構造について説明する。
【０２２１】
面発光モジュール３は、図４９で示されるように、フロントケース２５０、背面板２５１、底板形成板２５２によって形成される筐体内に各種機器及び各種部材が収納されて形成されている。
【０２２２】
詳細には、発光面形成部２３１の内部に、発光面側保護カバー２５３、発光パネル２５４、裏面側保護カバー２５５からなる積層体が収納され、その背面を背面板２５１が覆った状態となっている。また、発光面形成部２３１と基台部２３０とが跨る部分の内部に、制御基板２５６が直立した姿勢で収納されている。
さらに、図４９、図５０で示されるように、基台部２３０の内部には、ボタン付基板２５７、バッテリー収納部２５８、バッテリー２５９、モジュール側保持磁石２６０が収納され、その下側を底板形成板２５２が覆った状態となっている。
【０２２３】
フロントケース２５０は、図４９で示されるように、後方側に位置する枠状部分２５０ａと、前方下側に位置する箱状部分２５０ｂとが一体に形成された部材となっている。
枠状部分２５０ａは、正面視において四角環状に連続する枠状前板部２７０と、枠状前板部２７０の上端から後方へ突出する平板状の上面形成部２７１と、２つの後方側壁形成部２７２とを備えた形状となっている。
箱状部分２５０ｂは、背面側及び下面側が外部に開放された箱状体であって、その上面の後側（枠状部分２５０ａ側）が後方に向かうにつれて上方に向かうように湾曲しつつ延びている。したがって、その側面の後側部分もまた、後方に向かうにつれて上下方向の長さが長くなっている。
【０２２４】
このフロントケース２５０の側壁面は、後端側で上下方向に延びる後方側壁形成部２７２と、箱状部分２５０ｂの側壁部分とが一体となって形成されている。
【０２２５】
背面板２５１は、亜鉛合金等の適宜な金属で形成された立板状の部材となっている。そして、面発光モジュール３の背面側において、上端から下端までの間で延びている。なお、特に限定されるものではないが、本実施形態では、この背面板２５１は、鋳型成形品となっており、特に亜鉛ダイキャスト品を好適に採用可能となっている。
【０２２６】
具体的には、図５１で示されるように、背面板２５１は、薄板状の背面板本体２５１ａと、背面板本体２５１ａの前面から前方へ隆起した隆起部分２５１ｂを備えた構造となっている。
この隆起部分２５１ｂは、上側部分が正面視で四角環状となるように連続している。そして、この四角環状に連続する部分の下端のうち、左右方向の両端それぞれに位置する部分から、正面視で略縦長長方形状となる部分が下方に向かって延びている。
そして、隆起部分２５１ｂの上面から上方に突出する上側突起部２５１ｃと、両側面のそれぞれ外側へ突出する側方突起部２５１ｄとが形成されている。
【０２２７】
このとき、上側突起部２５１ｃは、背面板本体２５１ａから前方に離れた位置に形成され、断面形状が四角形状で左右方向に延びる突起となっている。このため、上側突起部２５１ｃと背面板本体２５１ａの間には溝部分が形成されている。この溝部分は、断面形状が四角形状で左右方向に延びる空間を形成するものであり、上記した上面形成部２７１の内側面に形成される突起部分（図示しない）と係合する溝となっている。
【０２２８】
また、側方突起部２５１ｄは、背面板本体２５１ａから前方に離れた位置に形成され、断面形状が四角形状で上下方向に延びる突起となっている。この側方突起部２５１ｄは、上記した後方側壁形成部２７２の内側面に形成された溝部分（図示しない）と係合する突起となっている。なお、この後方側壁形成部２７２の溝部分は、後方側壁形成部２７２の後端から前方へ向かって延びた後、上下方向における一方側へ延びる溝となっている。
【０２２９】
底板形成板２５２は、図５０で示されるように、平面視した形状が略四角形状となる平板状の部材であり、給電部露出孔２５２ａと、磁石配置部２５２ｂと、取付用突起部２５２ｃを備えた構造となっている。
【０２３０】
給電部露出孔２５２ａは、平面視形状が略四角形状となる貫通孔であり、底板形成板２５２を厚さ方向に貫通する貫通孔となっている。
【０２３１】
磁石配置部２５２ｂは、平面視形状が略四角形状で下方へ窪んだ部分であり、上方が開放された略直方体状の空間を形成する部分となっている。すなわち、磁石配置部２５２ｂは、厚さを周囲よりも薄くした部分となっている。
【０２３２】
取付用突起部２５２ｃは、底板形成板２５２の上面において周囲より隆起した部分であり、上方に向かって凸となる略円錐台状の部分となっている。また、その上端面には、取付用突起部２５２ｃを上下方向に貫通する貫通孔が形成されている。
ここで、底板形成板２５２の下面側では、取付用突起部２５２ｃが形成された部分が周囲よりも上方に窪んだ状態となっており、窪みの内側に空間が形成されている。そして、この空間が締結要素の一部（ネジ等の頭部）を配置するための空間として機能する。つまり、取付用突起部２５２ｃに形成された貫通孔は、締結要素の他の一部（ネジ等の軸部）を挿通するための孔として機能する。
【０２３３】
発光面側保護カバー２５３（図４９参照）は、透光性を有する板状部材であり、プラスチック等の適宜の材料を切削加工等して形成される部材となっている。
【０２３４】
発光パネル２５４は、面状に広がりをもち、面状光を放射可能なパネルであり、調光が可能なパネルとなっている。
具体的には、この発光パネル２５４は、図５２で示されるように、パネル本体２７６にフレーム部材２７７を装着して形成される部材となっている。
【０２３５】
パネル本体２７６は、拡散光を照射可能な有機ＥＬパネルであり、その一方の主面側（発光面側であり前面側）は、実際に発光する発光領域２７６ａと、それ以外の部分であってフレーム部材２７７によって外側（前方）を覆われる非発光領域２７６ｂに区画されている。
すなわち、パネル本体２７６の主面は、中央側に位置する発光領域２７６ａと、発光領域２７６ａの周囲を囲むように四角環状に連続する額縁状の非発光領域２７６ｂを備えた構造となっている。
【０２３６】
ここで、発光領域２７６ａは、陽極層と、有機発光層を含む有機機能層と、陰極層が重なる重畳部分と、正面視において重なる部分となっている。つまり、パネル本体２７６の厚さ方向（前後方向）において、陽極層、有機機能層、陰極層がこの順に積層して有機ＥＬ素子を形成しており、発光領域２７６ａがこの有機ＥＬ素子と対応する部分となっている。
このことから、陽極層と陰極層に電圧を印加することで有機発光層が発光し、発光領域２７６ａから光が放射される構造となっている。
【０２３７】
パネル本体２７６の他方の主面側（裏面側であり後面側）には、有機機能層と電気的に接続される給電部２７９と、給電部２７９の端部を接続可能なコネクタ部を有するパネル側基板２８０を備えた構造となっている。
【０２３８】
給電部２７９は、有機機能層とパネル側基板２８０を電気的に接続する部位であって、陽極層と陰極層の間に電圧を印加するための部分となっている。この給電部２７９は、一部がパネル本体２７６の縁端よりの部分に片持ち状に支持され、正面視した（裏面側からみた）形状が略Ｌ字状となるように縁端側から中央側へ向かって一部が折曲して延びている。
【０２３９】
また、パネル側基板２８０は、上記した給電部２７９を接続可能なコネクタ部の他、制御基板２５６（図４９等参照）との間で延びるケーブルを接続可能なコネクタ部を備えた構造となっている。本実施形態では、このパネル側基板２８０は、パネル本体２７６の他方の主面と重なる位置であり、正面視において発光領域２７６ａと重なる中央側の位置に配されている。
【０２４０】
フレーム部材２７７は、樹脂製の部材であり、本実施形態ではゴムによって成形されている。このフレーム部材２７７は、パネル本体２７６の一方の主面における縁端近傍と、パネル本体２７６の端面と、他方の主面における縁端近傍を覆う部材となっている。
【０２４１】
この発光パネル２５４は、軽量かつ薄型とする観点からも、上記したように一方の主面側に発光面を有する有機ＥＬパネルであることが好ましい。有機ＥＬパネルを採用することによって、柔らかさや高演色性等の優れた特性の照明光を容易に得ることができ、拡散光を照射することも可能となっている。なお、この発光パネル２５４は、可撓性を有する可撓性パネルであってもよい。
【０２４２】
裏面側保護カバー２５５は、図４９で示されるように、発光パネル２５４に対して後方側から添え当てられるように配される立板状の部分を有しており、この立板状の部分に後方へ向かって窪んだ窪み部分が形成されている。この窪み部分は、上端からやや下側に離れた位置から下端部分まで延びる窪み部分であり、発光パネル２５４の裏面側に位置するパネル側基板２８０と、パネル側基板２８０から後方へ延びるケーブルを収納可能となっている。
【０２４３】
ボタン付基板２５７は、図５０で示されるように、基板本体２５７ａの一方の主面側（上面側）に対し、ボタン形成部２８５と、複数のケーブル接続用コネクタとを取り付け、他方の主面側（下面側）にピン接触部２８６を取り付けて形成されている。
【０２４４】
基板本体２５７ａは、厚さ方向が上下方向となる略Ｌ字板状の部材であり、略直角に曲がっている部分の外側角部の一部が欠落した形状となっている。
【０２４５】
ボタン形成部２８５は、上記した操作ボタン２３６（図４７参照）を形成する部分であり、一部が外部に露出する金属製のボタンカバーと、ゴム製の台座部と、これらの下方に位置するスイッチ部材を有している。そして、スイッチ部材が基板本体２５７ａに一体に取り付けられている。
つまり、操作ボタン２３６が押圧され、ボタンカバーが下方へ移動し、それに伴って台座部が変形すると、台座部の一部がスイッチ部材を押圧し、それに伴って基板本体２５７ａで信号が形成される構造となっている。
なお、台座部のうち、ボタンカバーが取り付けられる部分の側方には、貫通孔が形成されており、上記したパワーランプ２３７を形成するランプ部材（図示しない）が配されている。このランプ部材もまた、基板本体２５７ａに一体に取り付けられている。
【０２４６】
ピン接触部２８６は、図４８、図５０で示されるように、略直方体状の筐部２８６ａと、一端側が外部に露出し他端側が基板本体２５７ａに取り付けられる配線部２８６ｂ（図４８参照）とを備えた構造となっている。すなわち、配線部２８６ｂは、筐部２８６ａを貫通して延びた状態となっている。
そして、このピン接触部２８６の下面では、筐部２８６ａの下面と、配線部２８６ｂの外部に露出した部分とが同一平面（略同一の平面）を形成している。
すなわち、ピン接触部２８６の下面は、筐部２８６ａが位置する領域と、配線部２８６ｂが露出する領域（以下、配線領域とも称する）が区画されている。配線領域は、複数形成されており、それぞれの平面視形状が略隅丸長方形状であって、平面視において間隔を空けて並列した状態となっている。
【０２４７】
バッテリー収納部２５８は、図５３で示されるように、下方側が開放された箱状の収納部本体２９０と、収納部本体２９０の側壁部分の下端近傍から外側へ突出するフランジ状の周辺板部２９１とが一体となって形成されている。
【０２４８】
収納部本体２９０は、天地逆とした有底箱状の部分であり、上側に位置する四角形平板状の天面形成部と、天面形成部の縁端から下方へ垂下され環状に連続する側壁部分とを備えた構造となっている。
そして、収納部本体２９０のうち、天面形成部と側壁部分に跨る部分や側壁部分には、貫通孔が形成されており、収納部本体２９０の内側空間と外部を連通している。
この貫通孔の一部は、バッテリー２５９の一部を外部に露出させる孔であり、放熱孔として機能する。貫通孔の他の一部は、バッテリー２５９の端子部分と接触するコネクタ部（詳しくは後述する）を配するための空間として機能する。
【０２４９】
周辺板部２９１は、収納部本体２９０を囲むように配され、平面視で四角環状に連続する板状の部分となっている。
【０２５０】
この周辺板部２９１には、適宜の部分に開口形状が円形の貫通孔２９１ａが形成されている。この貫通孔２９１ａは、周辺板部２９１を厚さ方向（上下方向）に貫通する孔であり、締結要素を挿通する取り付け用の孔となっている。
加えて、周辺板部２９１には、開口形状が四角形状となる貫通孔であり、周辺板部２９１を厚さ方向に貫通するピン接触部配置孔２９１ｂが形成されている。このピン接触部配置孔２９１ｂは、上記したピン接触部２８６の一部を配置するため（一部を挿通するため）の孔となっている。
【０２５１】
また、周辺板部２９１の上面側には、ボタン付基板２５７を周辺板部２９１の上面から上方に離れた位置に取り付けるための取付突起部２９１ｃが形成されている。取付突起部２９１ｃは、複数（本実施形態では３つ）形成されており、いずれも周辺板部２９１の上面から上方に突出する略円筒状の突起となっている。すなわち、それぞれの取付突起部２９１ｃは、外形が略円柱状であり、上面に円形の開口を有する有底孔が形成されている。そして、この有底孔は、締結要素を挿通可能な孔となっている。
【０２５２】
ここで、バッテリー収納部２５８には、バッテリー側基板２９３（図５３では図示しない、図５４参照）を取り付けるための基板配置部２９５が形成されている。
ここで、バッテリー側基板２９３は、板状の本体部と、本体部に一体に取り付けられる略直方体状のコネクタ部（図示しない）を備えた構造となっている。そして、コネクタ部は、壁面から突出する接触ピンを有しており、この接触ピンがバッテリー２５９の端子部分と接触することで、バッテリー２５９と電気的に接続された状態となる。
【０２５３】
したがって、図５４で示されるように、基板配置部２９５は、バッテリー側基板２９３の本体部を配置するための板体配置部２９５ａと、バッテリー側基板２９３のコネクタ部を配置するためのコネクタ配置部２９５ｂが一体となった部分となっている。
【０２５４】
板体配置部２９５ａは、バッテリー収納部２５８の下面側に形成された窪み部分であり、上方に向かって窪んだ部分となっている。より詳細には、周辺板部２９１の下面と収納部本体２９０の側壁部分の下面に跨る部分に形成された窪み部分となっている。
板体配置部２９５ａでは、上面を形成する部分の一部が欠落しており、窪みの内側に形成される空間と、周辺板部２９１の上方に位置する空間とが連通した状態となっている。
【０２５５】
コネクタ配置部２９５ｂは、板体配置部２９５ａの上方であり、収納部本体２９０の内側空間よりの位置に形成される部分となっている。
すなわち、収納部本体２９０の側壁部分に形成された貫通孔と、その外側に隣接する空間に跨る部分に形成されている。ここで、コネクタ配置部２９５ｂの外側には、保持片部２９６が位置した状態となっている。言い換えると、側壁部分に形成された貫通孔の外側に隣接する空間は、保持片部２９６の内側に位置する空間となっている。
【０２５６】
保持片部２９６は、下側と収納部本体２９０側が開放された箱状であって、側面視した形状が凸字状となるように、上側の角部分周辺を欠落させた形状となっている。
したがって、バッテリー側基板２９３のコネクタ部をコネクタ配置部２９５ｂに配したとき、コネクタ部の一部が保持片部２９６の内側に嵌り込み、保持片部２９６の欠落した部分からコネクタ部の一部が外部に露出した状態となる。
【０２５７】
さらに、周辺板部２９１の下面側には、磁石配置部２９１ｄが形成されている。
本実施形態では、複数（２つ）の磁石配置部２９１ｄが形成されており、いずれも、平面視形状が略四角形状で上方に向かって窪んだ部分となっている。より詳細には、磁石配置部２９１ｄは、周辺板部２９１の外縁と隣接する位置に形成されており、下方と側方の一部（周辺板部２９１の縁端側）が外部に開放された空間を形成している。
【０２５８】
バッテリー２５９は、略直方体状のバッテリーケース内に蓄電体等の各種部材を内蔵して形成される二次電池であり、充電を行うことで電池として使用可能となるものであってバッテリーケースの壁面から端子が露出する構造となっている。
【０２５９】
モジュール側保持磁石２６０は、略直方体状の永久磁石となっている。
【０２６０】
続いて、面発光モジュール３の組み立て構造について説明する。
【０２６１】
このとき、バッテリー収納部２５８に対してボタン付基板２５７を取り付けた状態とする（図４９、図５０等参照）。
具体的には、ボタン付基板２５７を複数の取付突起部２９１ｃの上面に載置し、ボタン付基板２５７に形成された取り付け用の孔と取付突起部２９１ｃの有底孔が重なった状態とする。そして、これらの孔が重なって形成される連通孔に締結要素を挿通し、バッテリー収納部２５８とボタン付基板２５７を一体に取り付ける。
【０２６２】
そして、フロントケース２５０に、ボタン付基板２５７を取り付けたバッテリー収納部２５８と、制御基板２５６を取り付ける。なお、これらは、いずれも締結要素を介して取り付ける。すなわち、バッテリー収納部２５８に形成された貫通孔２９１ａの一部や、制御基板２５６に形成された取り付け用の孔と、フロントケース２５０の内側に形成された取り付け用の孔とを重ねた状態としてこれらに締結要素を挿通している。
【０２６３】
フロントケース２５０にバッテリー収納部２５８と制御基板２５６を取り付けるとき、ボタン付基板２５７のコネクタに接続されたケーブルを、制御基板２５６のコネクタと接続する。また、バッテリー収納部２５８に取り付けられたバッテリー側基板２９３（図５４参照）のコネクタに接続されたケーブルを制御基板２５６のコネクタと接続する。このことにより制御基板２５６とボタン付基板２５７、バッテリー側基板２９３が電気的に接続された状態となる。
【０２６４】
続いて、フロントケース２５０に両面テープ等を介して発光面側保護カバー２５３を取り付け、発光面側保護カバー２５３の後方に発光パネル２５４、裏面側保護カバー２５５を重ねて配し、さらにフロントケース２５０に背面板２５１を取り付ける。
このとき、フロントケース２５０の枠状部分２５０ａに形成される窓部分（貫通孔部分）から内部側の発光面側保護カバー２５３が露出した状態とする。
【０２６５】
また、制御基板２５６のコネクタに一端側を取り付けたケーブルの他端側を、発光パネル２５４の裏面側に配されたパネル側基板２８０（図５２参照）のコネクタに接続した状態とする。そして、このケーブルを裏面側保護カバー２５５の窪み部分に収納する。
【０２６６】
ここで、背面板２５１を取り付ける際、フロントケース２５０の上面形成部２７１の内側面に形成された突起部分（図示しない）を、背面板２５１の上側に位置する溝部分（背面板本体２５１ａと上側突起部２５１ｃの間に位置する溝部分、図５１参照）に嵌入させた状態とする。
さらに、フロントケース２５０における２つの後方側壁形成部２７２のそれぞれの内側面に形成された溝部分（図示しない）と、背面板２５１の側方突起部２５１ｄ（図５１参照）を係合させる。
このように背面板２５１を取り付けることで、面発光モジュール３の背面（背面板２５１の後面であり、発光面形成部２３１の裏面）が、ネジ等の締結要素が位置せず、大きな凹凸のない美しい平面となる。すなわち、フロントケース２５０の後端側と背面板２５１が平面的に広がりのある同一平面を形成し、この平面が組み立てのための部材（締結要素等）に起因して形成される凹凸がない状態となる。
【０２６７】
さらに、図５４で示されるように、バッテリー収納部２５８の収納部本体２９０にバッテリー２５９を収納し、バッテリー側基板２９３のコネクタ部から突出している接触ピン（図示しない）をバッテリー２５９の端子と接触させた状態とする。
また、モジュール側保持磁石２６０の一部をバッテリー収納部２５８の磁石配置部２９１ｄの内側に配した状態で、フロントケース２５０及びバッテリー収納部２５８に対して底板形成板２５２を取り付ける。
【０２６８】
このとき、モジュール側保持磁石２６０の他の一部は、底板形成板２５２の磁石配置部２５２ｂ（図５０参照）の内側に配された状態となる
すなわち、モジュール側保持磁石２６０を配置する空間は、面発光モジュール３の内部に形成され、底板形成板２５２、バッテリー収納部２５８と、背面板２５１によって周囲を囲まれた空間となっている。
このことから、図４８等で示されるように、組み立て時においてモジュール側保持磁石２６０が外部に露出しない状態となっている。したがって、底板形成板２５２の外側面（底面）のうち、平面視において磁石配置部２５２ｂ（又は磁石配置部２９１ｄ）と重なる部分は、周囲と段差なく連続する同一平面を形成している。
【０２６９】
底板形成板２５２を取り付けるとき、底板形成板２５２の取付用突起部２５２ｃに形成された貫通孔と、バッテリー収納部２５８に形成された貫通孔２９１ａの一部と、フロントケース２５０の内側に形成された取り付け用の孔とを重ねた状態とする。そして、これらに締結要素を挿通し、底板形成板２５２、バッテリー収納部２５８、フロントケース２５０を一体に固定する。このとき、底板形成板２５２の下面側において取付用突起部２５２ｃによって形成される窪み部分に、締結要素の一部（ねじ等の頭部）を配した状態とする。そして、図４８等で示されるように、底板形成板２５２のピン接触部配置孔２９１ｂからピン接触部２８６を露出させた状態とする。
なお、バッテリー２５９と底板形成板２５２の間に、必要に応じて樹脂発砲体等の適宜な材料で形成されたクッション部材を配してもよい。
これらの手順により、面発光モジュール３が形成されることとなる。
【０２７０】
本実施形態の照明装置１は、図１、図２で示されるように、支柱部２に対して複数（本実施形態では１０個、好ましくは３個以上）の面発光モジュール３が取り付け可能となっている。詳細には、複数の面発光モジュール３を上下方向で所定の間隔を空けて並列した状態で取り付け可能となっている。
また、本実施形態では、上下方向（支柱部２の長手方向）で並列する面発光モジュール３の列が複数列（２列）形成される状態となるように取り付けが可能である。複数例が形成される状態では、一方の列から前後方向（上下方向と直交する方向）で離れた位置に他の列が配された状態となる。より詳細には、一方の列に属する面発光モジュール３の数と他方の列に属する面発光モジュール３の数が同数となるように取り付けが可能である。このとき、一方の列に属するそれぞれの面発光モジュール３から前後方向で離れた位置に、他の列に属するそれぞれの面発光モジュール３を位置させることができる。
【０２７１】
このとき、それぞれ面発光モジュール３は、いずれも発光面２４１が支柱部２の長手方向と直交する状態であり、下方側（ベース部１２側）を向いた状態で取り付けられる。
このことから、列に属するそれぞれの面発光モジュール３の発光面２４１は、上下方向で所定の間隔を空けて並列した状態となる。すなわち、一の面発光モジュール３の発光面２４１と、他の一の面発光モジュール３の発光面２４１とが上下方向で離れた位置に配される。そして、それぞれの列において最も下端側（ベース部１２より）に位置する面発光モジュール３を除いて、一の面発光モジュール３の下方側に離れた位置に他の面発光モジュール３の発光面形成部２３１が位置した状態となっている。すなわち、一の面発光モジュール３の発光面２４１と他の面発光モジュール３の発光面形成部２３１の裏面が、上下方向で離間対向した状態となっている。さらに、列の最も下端側（ベース部１２より）に位置する面発光モジュール３の発光面２４１と、ベース部１２の上面が上下方向で離間対向した状態となっている。
【０２７２】
そして、列に属するそれぞれの面発光モジュール３の発光面２４１は、平面視したとき（上方側又は下方側からみたとき）に重なった状態となるように配されている。
すなわち、支柱部２の長手方向で全体をみたとき、言い換えると、支柱部２の長手方向の一端側から同方向に沿って外側に離れた位置（上端から上方に離れた位置又は下端から下方に離れた位置）から全体をみたとき、並列配置された発光面２４１が重なった状態となっている。したがって、列に属するいずれか一の面発光モジュール３の発光面２４１と、他の一の面発光モジュール３の発光面２４１とを支柱部２の長手方向と直交する面となる仮想面に投影すると、一方の発光面２４１を投影した領域と、他方の発光面２４１を投影した領域とが重なる重複部分（重畳部分）が形成されることとなる。本実施形態では、一方の発光面２４１を投影した領域の全域に他方の発光面２４１を投影した領域の全域が重なる重複部分が形成される。すなわち、２つの領域が完全に重なる（一致する）状態となっている。
【０２７３】
以上のことから、照明装置１は、支柱部２に面発光モジュール３を取り付けて使用するとき、それぞれの面発光モジュール３は他の面発光モジュール３又はベース部１２を照らすこととなる。つまり、これらによって光を反射させて周囲を照らす間接照明として機能する。加えて、下方側へ照射される光と反射光が干渉したり、上下方向で離間する位置であり且つ平面視で重なる位置のそれぞれから下方（同方向）に照射された光が下方側で干渉したりすることで、独特の明暗のコントラストを持った光で周辺を照らすことができる。このことから、美しく洗練された印象の空間を形成できる。
【０２７４】
また、それぞれの面発光モジュール３は、それぞれ個別のモジュール保持部２７に取り付けられており、それぞれ個別に着脱可能となっている。
具体的には、面発光モジュール３の基台部２３０（図４７参照）を、モジュール保持部２７のモジュール保持空間３５に挿通する。そして、図２、図８で示されるように、基台部２３０を支持台部２９の上面に接触させた状態とする。
【０２７５】
このとき、支持台部２９の上面と接触する部分は、面発光モジュール３の単独使用時に前面となる部分であり、これらが面接触した状態となる。すなわち、基台部２３０のうちで発光面形成部２３１と連続する端部が上方側となり、この端部と対となる端部であって、反対側に位置する端部が下方側に位置した状態となる。また、面発光モジュール３の単独使用時に底面となる部分が、支柱部２の外側側面（本体板部３２の外側面（図８参照））と面接触した状態となる。したがって、発光面形成部２３１は、支柱部２の外側側面近傍から外側へ突出するように配置されることとなる。
【０２７６】
そして、帯状板部３３の内周面が、基台部２３０の外周面の一部（両側面及び操作ボタン２３６が形成されている面であり、支柱部２側の面を除いた他の面）と接触した状態となる。
すなわち、基台部２３０が帯状板部３３の内側に嵌入され、モジュール保持部２７（帯状板部３３）と嵌合した状態となっている。このとき、２つのガイド突起部３２ａのそれぞれの側面（対向する２側面）もまた基台部２３０の両側面と接触した状態となる。この２つのガイド突起部３２ａは、面発光モジュール３を嵌入させる際のガイドとして機能する。
【０２７７】
すなわち、帯状板部３３の上側開口部分から基台部２３０を挿入するとき、基台部２３０の一部をガイド突起部３２ａの間に位置させ、面発光モジュール３を下方へ移動させる（上下方向に沿って移動させる）。このことにより、左右方向の移動が規制され、姿勢が維持された状態でのスライド移動による挿入が可能となり、着脱が容易となる。
【０２７８】
また、主保持部２８の上方に位置する保持用磁石２０５（図８参照）と、面発光モジュール３に内蔵されるモジュール側保持磁石２６０（図４８等参照）とが吸着した状態となる。
つまり、下方に位置する帯状板部３３が面発光モジュール３を嵌合により保持する保持部として機能し、上方に位置する保持用磁石２０５が面発光モジュール３を吸着により保持する保持部として機能する。このように、上下方向で離れた位置に２つの異なる保持部を配することで、面発光モジュール３の姿勢をより確実に維持可能となる。また、面発光モジュール３挿入方向基端側（上側）に位置する保持部を吸着による保持部とし、本体板部３２の外側面より内側に位置させることで、面発光モジュール３を取り付ける際に、上方に位置する保持部が邪魔にならない構造となっている。
以上のことから、面発光モジュール３は、支柱部２に着脱可能に保持されるものであり、容易に着脱が可能なものとなっている。
【０２７９】
さらに、面発光モジュール３をモジュール保持部２７に取り付けると、基台部２３０によってトリガー片８２（図１２参照）が下方側へ押圧され、トリガー挿通孔３７の突出端部分が下方側であって支柱部２の内側（トリガー挿通孔３７の内部）へ退入する。これに伴って、上記したように、コネクタピン１０５の突起部１０５ｂがピン挿通孔群３６から外部へ突出する。すなわち、突起部１０５ｂが支柱部２の内部（トリガー挿通孔３７の内部）に退入した退入姿勢から、外部へ突出した突出姿勢へ移行する。
そして、突出した突起部１０５ｂが、基台部２３０のピン接触部２８６（図４８参照）と接触する。詳細には、それぞれの突起部１０５ｂがそれぞれ異なる配線領域（配線部２８６ｂが露出した領域）と接触する。このことにより、支柱部２の各種基板と面発光モジュール３の各種基板とが電気的に接続された状態となり、面発光モジュール３の支柱部２に取り付けた状態での調光や、面発光モジュール３の給電が可能となる。言い換えると、支柱部２と、支柱部２に取り付けた面発光モジュール３とが、信号線及び給電線を介して接続された状態となる。
【０２８０】
さらに、面発光モジュール３は、上記した単独使用時に操作ボタン２３６による調光が可能である他、支柱部２に取り付けた状態で調光可能となっている。
すなわち、一又は複数の面発光モジュール３を取り付けた状態で、取り付けた全ての面発光モジュール３の調光が可能となっている。具体的には、支柱部２に面発光モジュール３を取り付けた状態で操作ボタン１４７を押圧することで、取り付けた全ての面発光モジュール３を対象として上記した単独使用時と同様の調光が可能となっている。すなわち、操作ボタン１４７の押圧により、一又は複数の面発光モジュール３の非発光状態と発光状態の切り替えや、発光状態時における明るさの可変が可能となる。
【０２８１】
また、面発光モジュール３は、支柱部２に取り付けた状態で充電が可能となっている。詳細には、発光状態と非発光状態のいずれの状態においても充電が可能となっている。
すなわち、面発光モジュール３は単独使用時に電力供給源となる内部電源（バッテリー２５９、図５０等参照）を内蔵しており、支柱部２からの給電により内部電源の充電が可能となっている。
【０２８２】
つまり、本実施形態の面発光システムは、発光面２４１を含む面発光パネルを有する面発光モジュール３と、複数の面発光モジュール３を保持可能な長尺状の支柱部材とを備えた面発光システムであって、面発光モジュール３は、面発光パネルに電力を供給可能な内部電源を有しており、支柱部材が複数の面発光モジュール３を保持した状態では、支柱部材から複数の面発光モジュール３の内部電源に給電が可能であり、当該給電によって複数の面発光モジュール３を発光させたままそれぞれの内部電源の充電することが可能であることを特徴とする面発光システムとなっている。
【０２８３】
さらに、面発光モジュール３は、支柱部２から取り外した状態で、スタンド型灯具として単独使用が可能となっている。すなわち、面発光モジュール３は、水平面に載置したときに全体を支持する基台となる部分（基台部２３０）と、基台となる部分に立設される部分（発光面形成部２３１）を有し、基台から上方に離れた位置に光源を有する灯具として使用可能となっている。そして、単独使用するとき、発光パネル２５４が直立した姿勢となった状態であり、発光面２４１が側方を向いた状態として使用する。
なお、特に限定されるものではないが、この面発光モジュール３は、テーブルランプやデスクライトとして好適に使用が可能となっている。すなわち、テーブル、机、キッチンカウンター等の台状家財に載置して使用することが好ましいものとなっている。
【０２８４】
そして、面発光モジュール３が内部電源を内蔵していることから、面発光モジュール３を支柱部２から取り外して単独使用するとき、外部からの電源の供給を受けることなく発光面２４１を発光させることができる。すなわち、外部電源との間で電力供給用のケーブルを延設したりすることなく使用が可能であり、様々な位置に設置可能となっている。
【０２８５】
上記した実施形態では、外形が略四角筒状の支柱本体部１０の例を示したが、本発明はこれに限るものではなく、例えば、外形が略三角筒状又は略五角筒状のように略多角形筒状であってもよい。また、図５５で示されるように円筒状の支柱本体部４１０であってもよい。また、上側の一部が三角筒状であって、下側の一部が五角筒状、さらに下側の他の一部が円筒状といった具合に、外形が異なる部分を組み合わせて形成されてもよい。
【０２８６】
また、上記した実施形態では、上方に位置する面発光モジュール３の発光面２４１と、下方に位置する面発光モジュール３の発光面２４１を支柱部２の長手方向と直交する面となる仮想面に投影したとき、２つの投影面が完全に重なる（一致する）例を示した。
しかしながら、本発明はこれに限るものではなく、２つの投影面の一部が重なるものであってもよい。
【０２８７】
すなわち、図５５で示されるように、上側に位置する一の面発光モジュール３ａの下方側に離れた位置であり、支柱本体部４１０の周方向にずれた位置に他の面発光モジュール３ｂを取り付けてもよい。この場合、図５６で示されるように、平面視において、上側に位置する発光面２４１の一部と、下側に位置する発光面２４１の一部が重なる状態となる。このように、複数の面発光モジュール３を取り付け可能な支柱本体部４１０において、少なくとも２つの面発光モジュール３のそれぞれの発光面２４１が、平面視で重なる状態となるように取り付け可能であればよい。このとき、平面視で少なくとも一部が重複した状態であればよい。
【０２８８】
また、上記した実施形態では、基台部２３０と発光面形成部２３１が一体に形成された面発光モジュール３について説明したが、図５７で示されるように、別体の基台部４３０（支持部）と発光面形成部４３１（フレーム部）を回動可能に連結した面発光モジュール４０３であってもよい。
すなわち、図５８で示されるように、面発光モジュール４０３は、動力源生成部たるモータと、歯車、クラッチ、ケーブルを挿通可能な円筒状のシャフトといった動力伝達部とを少なくとも有する可動部４０８を備えた構造となっている。そして、モータが駆動して動力が発光面形成部４３１に伝達されることで、発光面形成部４３１が基台部４３０に対して回動する構造としている。すなわち、発光面２４１が前方を向いた状態を基準姿勢（図５７（ａ）参照）としたとき、基準姿勢から平面視で時計回りとなる方向、又は反時計回りとなる方向へ回動することで、他方側照射姿勢（図５７（ｂ））へ移行することが可能となっている。なお、他方側照射姿勢とは、発光面２４１が基準姿勢時とは異なる方向を向いた姿勢であり、このときの回動の回転中心軸線は、基台部４３０の上面（又は底面）と垂直となる方向に延びた直線となる。
【０２８９】
このような面発光モジュール４０３は、図５９で示されるように、支柱部２に取り付けた状態で発光面形成部４３１を回動可能となっている。このとき、発光面形成部４３１の回動中心軸線は、支柱部２の長手方向と垂直な方向に延びる直線となっている。より詳細には、支柱部２の側面（モジュール保持部２７と内外で重なる面）と垂直な方向に延びる直線となっている。
【０２９０】
このような面発光モジュール４０３は、単独使用時、又は支柱部２に取り付けて使用するとき、外部操作機器の操作ボタンを押下することで、発光状態と非発光状態の切り替え動作、調光動作、発光面形成部４３１の回動動作（光照射方向変更動作）が可能な構造となっている。
例えば、外部操作機器を操作することで、発光面形成部４３１を自動的に回動させ、基準姿勢と他方側照射姿勢を切り替えることが可能となっている。このことから、発光面２４１を光の照射対象側（例えば、生活空間側）に向けて直接照明とする状態と、壁や家財等の光の照射対象とは異なるものに向けて間接照明とする状態の簡易な切り替えが可能となっている。
【０２９１】
また、外部操作機器を操作することで、複数の面発光モジュール４０３のそれぞれを発光面２４１が予め定められた方向を向き、且つ、予め定められた明るさで発光するように一斉に調整することが可能となっている。
具体的に説明すると、それぞれの面発光モジュール４０３に対して、発光状態と非発光状態のいずれの状態とするのか、発光状態とする場合の明るさ、基準姿勢と他方側照射姿勢のいずれの状態とするのか、他方側照射姿勢とする場合の向き（基準姿勢からの回転方向と回転角度）等の設定をし、この設定情報を予め記憶手段に記憶させておく。
なお、この記憶手段は、支柱部２、面発光モジュール３、外部操作機器のいずれか一つが備えていればよく、それぞれに内蔵されるいずれかの基板に実装されるメモリであってもよい。
そして、外部操作機器が操作されることで、この設定情報に基づき、それぞれの面発光モジュール４０３が必要に応じて各種切り替え動作（発光状態と非発光状態の切り替え動作、調光動作、光照射方向変更動作）を自動で実行する。すなわち、設定情報に応じて現在の状態を維持する動作、又は、一以上の切り替え動作を実行する。
【０２９２】
このように、複数の面発光モジュール４０３を一斉に調整可能な構造によると、洗練された印象の空間を簡単に実現（又は再現）することができる。すなわち、室内等の所定の空間に各種照明用機器を配置して光空間を形成するとき、それぞれの面発光モジュール４０３の光の照射方向や光量等を光空間が最も美しく見える状態へと簡単に移行させることができる。
【０２９３】
なお、上記した面発光モジュール４０３は、モータを内蔵し、自動的に回動可能なものとしたが、動力生成部を内蔵せずに手動で回転可能な構造としてもよい。
また、発光面形成部４３１と基台部４３０は、自在継手部を介して連結する構造としてもよい。この場合、支柱部２の長手方向と垂直な方向に延びる直線を回転中心軸線として回動させるだけでなく、それぞれ異なる方向に延びる複数の直線をそれぞれ回転中心軸線として回動させることが可能となる。
【０２９４】
さらに、上記した実施形態では、面発光モジュール４０３に可動部４０８を内蔵させた例を示したが、図６０、図６１で示されるように、支柱部５０２（支柱部材）の内部に可動部（図示しない）を必要に応じて内蔵させてもよい。すなわち、モジュール保持部２７を固定した部分が自動（又は手動）で回動する構造であってもよい。この構造によると、モジュール保持部２７の全体が回動するため、面発光モジュール３の全体を回動させることが可能となる。
【０２９５】
また、図６２、図６３で示されるように、本体部分と、本体部分に対して揺動自在に取り付け可能な取付用部材６０５を有する支柱部６０２（支柱部材）としてもよい。そして、取付用部材６０５にモジュール保持部２７を固定し、このモジュール保持部２７に面発光モジュール３を着脱自在に取り付ける構造としてもよい。
この場合もまた、面発光モジュール３の全体を回動させることが可能となる。このことから、発光面２４１が支柱部６０２の長手方向に垂直な状態となる水平姿勢（図６３（ａ）参照）と、発光面２４１が下方外側を向く姿勢と（図６３（ｂ）参照）、下方内側（図６３（ｃ）参照）を向く姿勢の切り替えが可能となる。すなわち、下方側に光を照射する状態と、下方側であって支柱部６０２から離れた位置に光を照射する状態と、下方側であって支柱部６０２側に光を照射する状態を切り替え可能となっている。
なお、この面発光モジュール３の回動は、回転中心軸線が左右方向に延びる直線となる。
さらにまた、上記した円筒状の支柱本体部４１０において、外周面に面発光モジュール３を取り付けた状態とするとき、外周面の周方向に面発光モジュール３が可動可能な構造としてもよい。この場合、２以上の面発光モジュール３のそれぞれを所定位置に配した状態で平面視したとき、２以上の面発光モジュール３の発光面２４１同士の少なくとも一部が重複した状態となればよい。
【０２９６】
上記した実施形態では、発光パネル２５４として有機ＥＬパネルを採用した例を示したが、本発明はこれに限るものではない。発光パネルとして、ＬＥＤを面状に並べたＬＥＤパネルや、ＬＥＤ及び拡散板を組み合わせたＬＥＤパネルのような面発光パネルを採用してもよい。また、上記した実施形態では、発光パネルに平面パネルを採用したが、曲面パネルであってもよい。
また、面発光モジュール３は、発光面２４１の周辺が平面状に広がった構造をしていたが、発光面２４１の周辺が曲面状に広がる構造であってもよい。
【符号の説明】
【０２９７】
１  照明装置（面発光システム）
２，５０２，６０２  支柱部（支柱部材）
３，４０３  面発光モジュール
２７  モジュール保持部（保持部）
３０  保持板部（嵌合部）
２３０，４３０  基台部（支持部）
２３１，４３１  発光面形成部（フレーム部）
２４１  発光面
２５４  発光パネル（面発光パネル）
４０８  可動部
【図１】
2018067484.tif 000003
【図２】
2018067484.tif 000004
【図３】
2018067484.tif 000005
【図４】
2018067484.tif 000006
【図５】
2018067484.tif 000007
【図６】
2018067484.tif 000008
【図７】
2018067484.tif 000009
【図８】
2018067484.tif 000010
【図９】
2018067484.tif 000011
【図１０】
2018067484.tif 000012
【図１１】
2018067484.tif 000013
【図１２】
2018067484.tif 000014
【図１３】
2018067484.tif 000015
【図１４】
2018067484.tif 000016
【図１５】
2018067484.tif 000017
【図１６】
2018067484.tif 000018
【図１７】
2018067484.tif 000019
【図１８】
2018067484.tif 000020
【図１９】
2018067484.tif 000021
【図２０】
2018067484.tif 000022
【図２１】
2018067484.tif 000023
【図２２】
2018067484.tif 000024
【図２３】
2018067484.tif 000025
【図２４】
2018067484.tif 000026
【図２５】
2018067484.tif 000027
【図２６】
2018067484.tif 000028
【図２７】
2018067484.tif 000029
【図２８】
2018067484.tif 000030
【図２９】
2018067484.tif 000031
【図３０】
2018067484.tif 000032
【図３１】
2018067484.tif 000033
【図３２】
2018067484.tif 000034
【図３３】
2018067484.tif 000035
【図３４】
2018067484.tif 000036
【図３５】
2018067484.tif 000037
【図３６】
2018067484.tif 000038
【図３７】
2018067484.tif 000039
【図３８】
2018067484.tif 000040
【図３９】
2018067484.tif 000041
【図４０】
2018067484.tif 000042
【図４１】
2018067484.tif 000043
【図４２】
2018067484.tif 000044
【図４３】
2018067484.tif 000045
【図４４】
2018067484.tif 000046
【図４５】
2018067484.tif 000047
【図４６】
2018067484.tif 000048
【図４７】
2018067484.tif 000049
【図４８】
2018067484.tif 000050
【図４９】
2018067484.tif 000051
【図５０】
2018067484.tif 000052
【図５１】
2018067484.tif 000053
【図５２】
2018067484.tif 000054
【図５３】
2018067484.tif 000055
【図５４】
2018067484.tif 000056
【図５５】
2018067484.tif 000057
【図５６】
2018067484.tif 000058
【図５７】
2018067484.tif 000059
【図５８】
2018067484.tif 000060
【図５９】
2018067484.tif 000061
【図６０】
2018067484.tif 000062
【図６１】
2018067484.tif 000063
【図６２】
2018067484.tif 000064
【図６３】
2018067484.tif 000065